(57)【要約】【課題】予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供する。【解決手段】複数のセット・リセット型のフリップフロップＳＲＦＦｋおよびスイッチ回路ＡＳＷｋ（ｋ＝１，２，…）を設ける。フリップフロップＳＲＦＦｋの出力信号となるサンプリングのタイミングパルスをスイッチ回路ＡＳＷｋに入力し、スイッチ回路ＡＳＷｋにクロック信号ＳＣＫまたはＳＣＫＢを取り込ませ、次段のフリップフロップＳＲＦＦ（ｋ＋１）のセット信号とするとともに、スイッチＰ−ＡＳＷｎ（ｎ＝ｋ＋１）にデータ信号線ＳＬｎおよびそれに接続された選択画素に対する予備充電を行わせる制御信号として出力させる。【選択図】　図１
2004054235.tif 000002
【特許請求の範囲】
【請求項１】
複数の信号供給線が設けられた表示装置のためのドライバ回路であって、
容量性の第１制御端子の充電電圧に応じて導通と非導通とが切り換わる第１スイッチを、上記複数の信号供給線のそれぞれに対して備え、各上記信号供給線に対する書き込み信号の書き込みを各上記第１スイッチの導通により行う書き込み回路と、
上記書き込みのタイミングパルスを上記第１スイッチの第１制御端子へ向けて出力するフリップフロップを、上記タイミングパルスを順次転送して上記書き込みが所定周期で行われるように複数段備えたシフトレジスタと、
容量性の第２制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備え、
上記予備充電回路は、一部の信号供給線に対して上記書き込み回路による書き込み信号の書き込みが行われている間に、他の信号供給線の予備充電を行うものであり、
上記シフトレジスタは、上記タイミングパルスを上記第１制御端子へ送る第１信号線と分離した第２信号線を通して、第２スイッチの導通を制御する予備充電制御信号を上記第２制御端子に出力する制御信号供給回路を備えていることを特徴とする表示装置のドライバ回路。
【請求項２】
上記制御信号供給回路は、
上記所定周期中で各上記信号供給線が上記書き込みの期間となる書き込み実効期間に、転送される上記タイミングパルスが上記フリップフロップから入力されると、上記タイミングパルスとは別の供給源から入力されるクロック信号を取り込んで、該クロック信号に同期した予備充電制御信号を、上記書き込みの期間中でない所定の上記信号供給線に対応する上記第２スイッチの制御端子へ向けて出力して該第２スイッチを導通させるものであり、
上記書き込み実効期間に上記予備充電を行う上記信号供給線に対応するように複数個備えられていることを特徴とする請求項１記載の表示装置のドライバ回路。
【請求項３】
容量性の第１制御端子の充電電圧に応じて導通と非導通とが切り換わる第１スイッチを、表示装置に設けられた複数の信号供給線のそれぞれに対して備え、各上記信号供給線に対する書き込み信号の書き込みを各上記第１スイッチの導通により行う書き込み回路と、
上記書き込みのタイミングパルスを上記第１スイッチの第１制御端子へ向けて出力するフリップフロップを、上記タイミングパルスを順次転送して上記書き込みが所定周期で行われるように複数段備えたシフトレジスタと、
容量性の第２制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備えた表示装置のドライバ回路において、
上記フリップフロップはセット・リセットフリップフロップであり、
上記シフトレジスタは、上記所定周期中で各上記信号供給線が上記書き込みの期間となる書き込み実効期間に、転送される上記タイミングパルスが上記セット・リセットフリップフロップから入力されると、上記タイミングパルスとは別の供給源から供給されるクロック信号を取り込んで上記書き込みの期間中でない所定の上記信号供給線に対応する上記第２スイッチの第２制御端子へ向けて出力して該第２スイッチを導通させるスイッチ回路を、上記書き込み実効期間に上記予備充電を行う上記信号供給線に対応するように複数個備えており、
各上記スイッチ回路は、取り込んだ上記クロック信号を、上記タイミングパルスを出力した上記セット・リセットフリップフロップの次段の上記セット・リセットフリップフロップに転送されるセット信号としても出力し、
各上記セット・リセットフリップフロップは、入力される上記セット信号を、より前段の所定の上記セット・リセットフリップフロップのリセット信号とすることを特徴とする表示装置のドライバ回路。
【請求項４】
容量性の第１制御端子の充電電圧に応じて導通と非導通とが切り換わる第１スイッチを、表示装置に設けられた複数の信号供給線のそれぞれに対して備え、各上記信号供給線に対する書き込み信号の書き込みを各上記第１スイッチの導通により行う書き込み回路と、
上記書き込みのタイミングパルスを上記第１スイッチの第１制御端子へ向けて出力するフリップフロップを、上記タイミングパルスを順次転送して上記書き込みが所定周期で行われるように複数段備えたシフトレジスタと、
容量性の第２制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備えた表示装置のドライバ回路において、
上記フリップフロップは出力信号を次段の入力信号とするＤフリップフロップであり、上記Ｄフリップフロップに入力されるクロック信号は上記タイミングパルスとは別の供給源から入力されるようになっており、
上記シフトレジスタは、上記所定周期中で各上記信号供給線が上記書き込みの期間となる書き込み実効期間に、転送される上記タイミングパルスが上記Ｄフリップフロップから入力されると上記クロック信号を取り込んで上記書き込みの期間中でない所定の上記信号供給線に対応する上記第２スイッチの第２制御端子へ向けて出力して該第２スイッチを導通させるスイッチ回路を、上記書き込み実効期間に上記予備充電を行う上記信号供給線に対応するように複数個備えていることを特徴とする表示装置のドライバ回路。
【請求項５】
上記フリップフロップからの上記タイミングパルスにより、各上記第１スイッチを順次に導通させるとともに、
上記スイッチ回路を上記信号供給線の数に対応して備え、各上記第２スイッチを順次に導通させることを特徴とする請求項３または４に記載の表示装置のドライバ回路。
【請求項６】
上記フリップフロップからの上記タイミングパルスにより、上記信号供給線のｉ（ｉは２以上の整数）本を１単位として、各上記第１スイッチを上記単位内で同時にかつ各単位毎で順次に導通させるとともに、
上記スイッチ回路を上記単位の数に対応して備え、上記第２スイッチを上記単位内で同時にかつ各上記単位毎で順次に導通させることを特徴とする請求項３または４に記載の表示装置のドライバ回路。
【請求項７】
容量性の第１制御端子の充電電圧に応じて導通と非導通とが切り換わる第１スイッチを、表示装置に設けられた複数の信号供給線のそれぞれに対して備え、各上記信号供給線に対する書き込み信号の書き込みを各上記第１スイッチの導通により行う書き込み回路と、
上記書き込みのタイミングパルスを上記第１スイッチの第１制御端子へ向けて出力するフリップフロップを、上記タイミングパルスを順次転送して上記書き込みが所定周期で行われるように複数段備えたシフトレジスタと、
容量性の第２制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備えた表示装置のドライバ回路において、
上記フリップフロップはセット・リセットフリップフロップであり、
上記シフトレジスタは、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んでレベルシフトを行い、上記書き込みの期間中でない所定の上記信号供給線に対応する上記第２スイッチの第２制御端子へ向けて出力して該第２スイッチを導通させるレベルシフト回路を、上記書き込み実効期間に上記予備充電を行う上記信号供給線に対応するように複数個備えており、
各上記レベルシフト回路は、取り込んでレベルシフトを行った上記クロック信号を、上記タイミングパルスを出力した上記セット・リセットフリップフロップの次段の上記セット・リセットフリップフロップに転送されるセット信号としても出力し、
各上記セット・リセットフリップフロップは、入力される上記セット信号を、より前段の所定の上記セット・リセットフリップフロップのリセット信号とすることを特徴とする表示装置のドライバ回路。
【請求項８】
上記フリップフロップからの上記タイミングパルスにより、各上記第１スイッチを順次に導通させるとともに、
上記レベルシフト回路を上記信号供給線の数に対応して備え、各上記第２スイッチを順次に導通させることを特徴とする請求項７に記載の表示装置のドライバ回路。
【請求項９】
上記フリップフロップからの上記タイミングパルスにより、上記信号供給線のｉ（ｉは２以上の整数）本を１単位として、各上記第１スイッチを上記単位内で同時にかつ各単位毎で順次に導通させるとともに、
上記レベルシフト回路を上記単位の数に対応して備え、上記第２スイッチを上記単位内で同時にかつ各上記単位毎で順次に導通させることを特徴とする請求項７に記載の表示装置のドライバ回路。
【請求項１０】
表示装置に設けられた複数の信号供給線に対する書き込み信号の書き込みのタイミングパルスを出力するフリップフロップを、上記タイミングパルスを順次転送して上記書き込みが所定周期で行われるように複数段備え、
上記所定周期中で各上記信号供給線が上記書き込みの期間となる書き込み実効期間に、転送される上記タイミングパルスが上記フリップフロップから入力されると、上記タイミングパルスとは別の供給源から入力されるクロック信号を取り込んで、該クロック信号に同期した信号を上記書き込みの期間中でない所定の上記信号供給線への予備充電を行わせるための信号として出力する制御信号供給回路を、上記書き込み実効期間に上記予備充電を行う上記信号供給線に対応するように複数個備えていることを特徴とするシフトレジスタ。
【請求項１１】
表示装置に設けられた複数の信号供給線に対する書き込み信号の書き込みのタイミングパルスを出力するセット・リセットフリップフロップを、上記タイミングパルスを順次転送して上記書き込みが所定周期で行われるように複数段備え、
上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んで上記書き込みの期間中でない所定の上記信号供給線への予備充電を行わせるための信号として出力するスイッチ回路を、上記書き込み実効期間に上記予備充電を行う上記信号供給線に対応するように複数個備えており、
各上記スイッチ回路は、取り込んだ上記クロック信号を、上記タイミングパルスを出力した上記セット・リセットフリップフロップの次段の上記セット・リセットフリップフロップに転送されるセット信号としても出力し、
各上記セット・リセットフリップフロップは、入力される上記セット信号を、より前段の所定の上記セット・リセットフリップフロップのリセット信号とすることを特徴とするシフトレジスタ。
【請求項１２】
表示装置に設けられた複数の信号供給線に対する書き込み信号の書き込みのタイミングパルスを出力するＤフリップフロップを、出力信号が次段の入力信号となるようにして上記タイミングパルスを順次転送して上記書き込みが所定周期で行われるように複数段備え、
上記Ｄフリップフロップに入力されるクロック信号は上記タイミングパルスとは別の供給源から入力されるようになっており、
上記所定周期中で各上記信号供給線が上記書き込みの期間となる書き込み実効期間に、転送される上記タイミングパルスが上記Ｄフリップフロップから入力されると上記クロック信号を取り込んで上記書き込みの期間中でない所定の上記信号供給線への予備充電を行わせるための信号として出力するスイッチ回路を、上記書き込み実効期間に上記予備充電を行う上記信号供給線に対応するように複数個備えていることを特徴とするシフトレジスタ。
【請求項１３】
上記スイッチ回路を上記信号供給線の数に対応して備えることを特徴とする請求項１１または１２に記載のシフトレジスタ。
【請求項１４】
上記信号供給線のｉ（ｉは２以上の整数）本を１単位として、上記スイッチ回路を上記単位の数に対応して備えることを特徴とする請求項１１または１２に記載のシフトレジスタ。
【請求項１５】
表示装置に設けられた複数の信号供給線に対する書き込み信号の書き込みのタイミングパルスを出力するセット・リセットフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んでレベルシフトを行い、上記書き込みの期間中でない所定の上記信号供給線への予備充電を行わせるための信号として出力するレベルシフト回路を、上記書き込み実効期間に上記予備充電を行う上記信号供給線に対応するように複数個備えており、
各上記レベルシフト回路は、取り込んでレベルシフトを行った上記クロック信号を、上記タイミングパルスを出力した上記セット・リセットフリップフロップの次段の上記セット・リセットフリップフロップに転送されるセット信号としても出力し、
各上記セット・リセットフリップフロップは、入力される上記セット信号を、より前段の所定の上記セット・リセットフリップフロップのリセット信号とすることを特徴とするシフトレジスタ。
【請求項１６】
上記レベルシフト回路を上記信号供給線の数に対応して備えることを特徴とする請求項１５に記載のシフトレジスタ。
【請求項１７】
上記信号供給線のｉ（ｉは２以上の整数）本を１単位として、上記レベルシフト回路を上記単位の数に対応して備えることを特徴とする請求項１５に記載のシフトレジスタ。
【請求項１８】
複数の画素と、上記画素に対応して設けられる複数の信号供給線としてのデータ信号線および複数の信号供給線としての走査信号線と、書き込み信号としてのビデオ信号を上記データ信号線および上記画素に書き込むデータ信号線ドライバと、上記ビデオ信号を書き込む画素を選択するために上記走査信号線に書き込み信号としての走査信号を書き込む走査信号線ドライバとを備えた表示装置において、
上記データ信号線ドライバを請求項１ないし９のいずれかに記載の表示装置のドライバ回路とすることを特徴とする表示装置。
【発明の詳細な説明】
【０００１】
【発明の属する技術分野】
本発明は、表示装置の信号供給線に予備充電を行って信号を供給するドライバ回路およびシフトレジスタならびに表示装置に関するものである。
【０００２】
【従来の技術】
点順次駆動のアクティブマトリクス型液晶表示装置では、液晶パネルの交流駆動を行う際、各画素が安定して所望電荷量だけ充電されるよう、データ信号線を介して画素にビデオ信号を供給する前に各データ信号線を予備充電することが行われる。この場合、全データ信号線に一度に予備充電を行うようにすると、全データ信号線の配線容量の合計が大きいために、予備充電電源の駆動能力を高くしなければならない。この問題を解決することのできる技術として、少ないデータ信号線の単位ごとに予備充電を行う構成がある。
【０００３】
例えば、特許文献１（特開平７−２９５５２０号公報）には、１つのデータ信号線にビデオ信号を出力するときに、データ信号線ドライバのシフトレジスタから出力されるビデオ信号サンプリング用の信号を用いて、他の１つのデータ信号線のスイッチをＯＮ状態にし、予備充電電源から予備充電を行うようにする構成が開示されている。
【０００４】
また、特許文献２（特開２０００−８９１９４号公報）には、全データ信号線を何個かのデータ信号線からなるブロックに分けて、データ信号線ドライバからｎ番目のデータ信号線ブロックのデータ信号線にビデオ信号を出力するときに、このビデオ信号のサンプリング用信号を用いて、ｎ＋１番目のデータ信号線ブロックのデータ信号線に予備充電電源から予備充電を行うようにする構成が開示されている。
【０００５】
また、特許文献３（特開２０００−２０６４９１号公報）には、データ信号線ドライバの各転送段の転送パルス入力を、該転送段のデータ信号線を予備充電するためのアナログスイッチを開閉するタイミングパルスとして用いるとともに、予備充電用のタイミングパルスよりも遅延させて該データ信号線に実データ（ビデオ信号）を出力するためのアナログスイッチを開閉するタイミングパルスとしても用いる構成が開示されている。該転送段の転送パルス出力は、次段の転送段の転送パルス入力となって、次段の転送段の予備充電のタイミングパルスおよび実データ出力のタイミングパルスとなる。
【０００６】
上述したようなデータ信号線ドライバでは、点順次でデータ信号線にビデオ信号を出力するために、ＴＦＴを含むＭＯＳＦＥＴなどの容量性の制御端子（例えばゲート）を有するスイッチを各データ信号線に設け、その制御端子の充電電圧を制御して導通と非導通とを点順次で切り換える。このスイッチを点順次で切り換える制御信号（例えばゲート信号）は、一般に複数段のフリップフロップからなるシフトレジスタによって水平方向にシフトされて出力される。また、データ信号線に予備充電を行うために点順次で導通と非導通とが切り換わる同様のスイッチが別に設けられる。
【０００７】
また、上記公報の構成によれば、予備充電を行うための回路をデータ信号線ドライバの内部に設けることによって、液晶表示装置の十分な額縁面積を確保するなど、予備充電回路の面積低減を図ることができるようになっている。
【０００８】
なお、本件出願人が先に出願して公開された特許文献４（特開２００１−１３５０９３号公報）には、シフトレジスタの各段を構成するセット・リセットフリップフロップの出力を受けてクロック信号をスイッチ回路によって取り込み、このクロック信号を次段のセット・リセットフリップフロップのセット信号とする構成が開示されている。また、本件出願人が先に出願して公開された特許文献５（特開２００１−３０７４９５号公報）および特許文献６（特開２０００−３３９９８５号公報）には、シフトレジスタの各段を構成するセット・リセットフリップフロップの出力を受けてクロック信号を取り込み、このクロック信号のレベルシフトを行って次段のセット・リセットフリップフロップのセット信号とする構成が開示されている。
【０００９】
【特許文献１】
特開平７−２９５５２０号公報（１９９５年１１月１０日公開）
【００１０】
【特許文献２】
特開２０００−８９１９４号公報（２０００年３月３１日公開）
【００１１】
【特許文献３】
特開２０００−２０６４９１号公報（２０００年７月２８日公開）
【００１２】
【特許文献４】
特開２００１−１３５０９３号公報（２００１年５月１８日公開）
【００１３】
【特許文献５】
特開２００１−３０７４９５号公報（２００１年１１月２日公開）
【００１４】
【特許文献６】
特開２０００−３３９９８５号公報（２０００年１２月８日公開）
【００１５】
【発明が解決しようとする課題】
しかしながら、上記特許文献１および特許文献２のデータ信号線ドライバでは、データ信号線にビデオ信号を出力するために切り換えるスイッチの導通と非導通とを制御する制御信号の供給回路を、他のデータ信号線の予備充電用に切り換えるスイッチの導通と非導通とを制御する制御信号の供給回路と共用している。交流駆動する上で行う予備充電は、各データ信号線および画素容量の電位を、前回のビデオ信号のサンプリング時に対して極性反転させるほど大きく変化させるように行うため、このときのスイッチのスイッチングは大きなインパルス状の充電電流を伴う。上記スイッチの制御端子が容量性であるので、この大きな充電電流の比較的高い周波数成分が制御端子の容量を介してスイッチの制御信号回路に伝達されて制御信号回路の電位を揺動させ、さらにビデオ信号書き込み用のスイッチの制御端子を介して、データ信号線に供給されるビデオ信号の揺動を引き起こす虞がある。このようなビデオ信号の揺動があると、表示の均一性が低下するなどして表示品位が劣化する。
【００１６】
これに対して、特許文献３のデータ信号線ドライバでは、上述したような制御信号回路の共有は行わずにすむのでビデオ信号の揺動は抑制されるが、転送パルスを予備充電用のタイミングパルスよりも遅延させるためのシフトレジスタを、転送パルスの転送用のシフトレジスタに追加して設けなければならず、シフトレジスタの回路規模が２倍になってしまう。
【００１７】
このように、従来は、データ信号線ドライバなどのような表示装置のドライバ回路には、内部に設けられた予備充電回路によってデータ信号線などの信号供給線に駆動能力の小さい予備充電電源から予備充電を行う場合に、シフトレジスタの回路規模を抑制しながら、他の信号供給線に供給される信号の揺動が起こるのを回避することができないという問題があった。なお、特許文献４〜６は、予備充電に関して何の開示も示唆もしていない。
【００１８】
本発明は、上記従来の問題点に鑑みなされたものであり、その目的は、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することにある。また、そのドライバ回路に用いられるシフトレジスタならびにそのドライバ回路を備えた表示装置を提供する。
【００１９】
【課題を解決するための手段】
本発明の表示装置のドライバ回路は、上記従来の課題を解決するために、複数の信号供給線が設けられた表示装置のためのドライバ回路であって、容量性の第１制御端子の充電電圧に応じて導通と非導通とが切り換わる第１スイッチを、上記複数の信号供給線のそれぞれに対して備え、各上記信号供給線に対する書き込み信号の書き込みを各上記第１スイッチの導通により行う書き込み回路と、上記書き込みのタイミングパルスを上記第１スイッチの第１制御端子へ向けて出力するフリップフロップを、上記タイミングパルスを順次転送して上記書き込みが所定周期で行われるように複数段備えたシフトレジスタと、容量性の第２制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備え、上記予備充電回路は、一部の信号供給線に対して上記書き込み回路による書き込み信号の書き込みが行われている間に、他の信号供給線の予備充電を行うものであり、上記シフトレジスタは、上記タイミングパルスを上記第１制御端子へ送る第１信号線とは分離した第２信号線を通して、第２スイッチの導通を制御する予備充電制御信号を上記第２制御端子に出力する制御信号供給回路を備えていることを特徴としている。
【００２０】
上記の発明によれば、書き込み回路の第１スイッチは、セット・リセットフリップフロップから出力されたタイミングパルスによって制御される一方、予備充電回路の第２スイッチは、制御信号供給回路から出力された予備充電制御信号によって制御される。
【００２１】
さらに、上記の発明によれば、一部の信号供給線に対して上記書き込み回路による書き込み信号の書き込みが行われている間に、他の信号供給線の予備充電を行う。また、このときに、第２スイッチの導通を制御する予備充電制御信号は、上記タイミングパルスを上記第１制御端子へ送る第１信号線とは分離した第２信号線を通して第２スイッチ入力されるので、上記書き込み回路による書き込みのためのタイミングパルスが第１スイッチに供給される系統と、予備充電回路の第２スイッチの導通を制御する予備充電制御信号が上記第２スイッチに供給される系統とが、分離される。したがって、第１スイッチの制御信号回路と第２スイッチの制御信号回路とが共用されることはない。すなわち、書き込み回路を制御する信号の供給系と、予備充電回路を制御する信号の供給系とが共用されることはない。これにより、予備充電に伴って信号供給線に流れる大きな電流が、第１スイッチの容量性の第１制御端子および第２スイッチの容量性の第２の制御端子を介して、そのときに書き込みを行っている信号供給線の書き込み信号の電位を揺動させてしまうことを回避することができる。また、第２スイッチの導通を制御する予備充電制御信号を上記第２制御端子に出力する制御信号供給回路はフリップフロップよりも簡単に構成することができるので、シフトレジスタの回路規模は、従来のようにシフトレジスタを２倍にする場合よりもはるかに抑制される。
【００２２】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【００２３】
なお、上記予備充電回路は、一部の信号供給線に対して上記書き込み回路による書き込み信号の書き込みが行われている間に、他の信号供給線の予備充電を行うものであればよく、書き込みされる信号供給線の本数、予備充電される信号供給線の本数は、特に限定されるものではない。
【００２４】
また、２つの信号線が「分離した」状態とは、２つの信号線が互いに電気的に接続されていない状態であり、例えば、２つの信号線の一方がトランジスタのソースまたはドレインに接続され、他方がトランジスタに接続されている状態、２つの信号線が互いに絶縁されている状態等が挙げられる。
【００２５】
また、制御信号供給回路としては、（１）外部（例えばドライバ回路の外部）から供給されたクロック信号を予備充電制御信号として第２制御端子に転送するもの、（２）外部（例えばドライバ回路の外部）から供給されたクロック信号を加工（例えばレベルシフト）して予備充電制御信号として第２制御端子に転送するもの、（３）予備充電制御信号を発生して第２制御端子に出力するもの等が挙げられる。これらのうち、（１）（２）の構成が、制御信号供給回路の回路規模を小さくすることができる点で有利である。
【００２６】
本発明のドライバ回路において、上記制御信号供給回路は、上記所定周期中で各上記信号供給線が上記書き込みの期間となる書き込み実効期間に、転送される上記タイミングパルスが上記フリップフロップから入力されると、上記タイミングパルスとは別の供給源から入力されるクロック信号を取り込んで、該クロック信号に同期した予備充電制御信号を、上記書き込みの期間中でない所定の上記信号供給線に対応する上記第２スイッチの制御端子へ向けて出力して該第２スイッチを導通させるものであり、上記書き込み実効期間に上記予備充電を行う上記信号供給線に対応するように複数個備えられている構成であってもよい。
【００２７】
上記構成によれば、書き込み実効期間には各信号供給線が書き込みの期間となるが、フリップフロップがタイミングパルスを出力すると、その前段のフリップフロップから出力されたタイミングパルスが入力されたスイッチ回路は、クロック信号を取り込んで、クロック信号に同期した制御信号を上記第２スイッチの制御端子へ向けて出力し、書き込みの期間中でない所定の信号供給線の予備充電を行わせる。これにより、信号供給線に書き込み信号の書き込みを行っている間に、別の信号供給線の予備充電を行うことができる。また、別の供給源から入力されるクロック信号を取り込んで出力するので、回路規模を小さくすることができる。
【００２８】
なお、クロック信号に同期した予備充電制御信号としては、クロック信号そのもの、クロック信号をレベルシフトした信号、クロック信号を反転した信号等が挙げられる。
【００２９】
上記構成のドライバ回路において、上記フリップフロップは、セット・リセットフリップフロップであり、各上記制御信号供給回路は、上記クロック信号を上記予備充電制御信号として出力するスイッチ回路であり、各上記スイッチ回路は、取り込んだ上記クロック信号を、上記タイミングパルスを出力した上記セット・リセットフリップフロップの次段の上記セット・リセットフリップフロップに転送されるセット信号としても出力し、各上記セット・リセットフリップフロップは、入力される上記セット信号を、より前段の所定の上記セット・リセットフリップフロップのリセット信号とする構成であってもよい。
【００３０】
すなわち、本発明の表示装置のドライバ回路は、上記従来の課題を解決するために、容量性の制御端子の充電電圧に応じて導通と非導通とが切り換わる第１スイッチを、表示装置に設けられた複数の信号供給線のそれぞれに対して備え、各上記信号供給線に対する書き込み信号の書き込みを各上記第１スイッチの導通により行う書き込み回路と、上記書き込みのタイミングパルスを上記第１スイッチの制御端子へ向けて出力するフリップフロップを、上記タイミングパルスを順次転送して上記書き込みが所定周期で行われるように複数段備えたシフトレジスタと、容量性の制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備えた表示装置のドライバ回路において、上記フリップフロップはセット・リセットフリップフロップであり、上記シフトレジスタは、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んで上記書き込みの期間中でない所定の上記信号供給線に対応する上記第２スイッチの制御端子へ向けて出力して該第２スイッチを導通させるスイッチ回路を、上記書き込み実効期間に上記予備充電を行う上記信号供給線に対応するように複数個備えており、各上記スイッチ回路は、取り込んだ上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とすることを特徴としている。
【００３１】
上記の発明によれば、書き込み回路の第１スイッチは、セット・リセットフリップフロップから書き込み信号の書き込みのタイミングパルスが出力されることにより制御端子が充電されて導通する一方、予備充電回路の第２スイッチは、タイミングパルスとは別の供給源から入力されるクロック信号がスイッチ回路によって取り込まれて出力されることにより制御端子が充電されて導通する。書き込み実効期間には各信号供給線が書き込みの期間となるが、セット・リセットフリップフロップがタイミングパルスを出力すると、その前段のセット・リセットフリップフロップから出力されたタイミングパルスが入力されたスイッチ回路が取り込んで出力したクロック信号は、書き込みの期間中でない所定の信号供給線の予備充電を行わせる。
【００３２】
さらに、各スイッチ回路は、取り込んだクロック信号を、タイミングパルスを入力したセット・リセットフリップフロップの次段のセット・リセットフリップフロップに転送されるタイミングパルスであるセット信号としても出力し、各セット・リセットフリップフロップは、入力されるセット信号を、より前段の所定のセット・リセットフリップフロップのリセット信号とする。これにより、タイミングパルスを順次転送することができる。
【００３３】
このように、信号供給線に書き込み信号の書き込みを行っている間に、別の信号供給線の予備充電を行うことができる。また、このときに、書き込みのタイミングパルスが供給される系統と、予備充電を行わせる信号が供給される系統とは分離されるので、第１スイッチの制御信号回路と第２スイッチの制御信号回路とが共用されることはない。これにより、予備充電に伴って信号供給線に流れる大きな電流が、スイッチの容量性の制御端子を介して、そのときに書き込みを行っている信号供給線の書き込み信号の電位を揺動させてしまうことを回避することができる。また、クロック信号を取り込んで出力するスイッチ回路はフリップフロップよりも簡単に構成することができるので、シフトレジスタの回路規模は、従来のようにシフトレジスタを２倍にする場合よりもはるかに抑制される。
【００３４】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【００３５】
また、上記構成のドライバ回路は、上記フリップフロップが、出力信号を次段の入力信号とするＤフリップフロップであり、上記Ｄフリップフロップには、入力される上記タイミングパルスとは別の供給源からクロック信号が入力されるようになっており、各上記制御信号供給回路が、上記クロック信号を上記予備充電制御信号として出力するスイッチ回路である構成であってもよい。
【００３６】
すなわち、本発明の表示装置のドライバ回路は、容量性の制御端子の充電電圧に応じて導通と非導通とが切り換わる第１スイッチを、表示装置に設けられた複数の信号供給線のそれぞれに対して備え、各上記信号供給線に対する書き込み信号の書き込みを各上記第１スイッチの導通により行う書き込み回路と、上記書き込みのタイミングパルスを上記第１スイッチの制御端子へ向けて出力するフリップフロップを、上記タイミングパルスを順次転送して上記書き込みが所定周期で行われるように複数段備えたシフトレジスタと、容量性の制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備えた表示装置のドライバ回路において、上記フリップフロップは出力信号を次段の入力信号とするＤフリップフロップであり、上記Ｄフリップフロップに入力されるクロック信号は上記タイミングパルスとは別の供給源から入力されるようになっており、上記シフトレジスタは、上記所定周期中で各上記信号供給線が上記書き込みの期間となる書き込み実効期間に、転送される上記タイミングパルスが上記Ｄフリップフロップから入力されると上記クロック信号を取り込んで上記書き込みの期間中でない所定の上記信号供給線に対応する上記第２スイッチの制御端子へ向けて出力して該第２スイッチを導通させるスイッチ回路を、上記書き込み実効期間に上記予備充電を行う上記信号供給線に対応するように複数個備えていることを特徴としている。
【００３７】
上記の発明によれば、書き込み回路の第１スイッチは、Ｄフリップフロップから書き込み信号の書き込みのタイミングパルスが出力されることにより制御端子が充電されて導通する一方、予備充電回路の第２スイッチは、タイミングパルスとは別の供給源から入力されるＤフリップフロップ用のクロック信号がスイッチ回路によって取り込まれて出力されることにより制御端子が充電されて導通する。書き込み実効期間には各信号供給線が書き込みの期間となるが、Ｄフリップフロップがタイミングパルスを出力すると、その前段のＤフリップフロップから出力されたタイミングパルスが入力されたスイッチ回路が取り込んで出力したクロック信号は、書き込みの期間中でない所定の信号供給線の予備充電を行わせる。
【００３８】
従って、信号供給線に書き込み信号の書き込みを行っている間に、別の信号供給線の予備充電を行うことができる。また、このときに、書き込みのタイミングパルスが供給される系統と、予備充電を行わせる信号が供給される系統とは分離されるので、第１スイッチの制御信号回路と第２スイッチの制御信号回路とが共用されることはない。これにより、予備充電に伴って信号供給線に流れる大きな電流が、スイッチの容量性の制御端子を介して、そのときに書き込みを行っている信号供給線の書き込み信号の電位を揺動させてしまうことを回避することができる。また、クロック信号を取り込んで出力するスイッチ回路はフリップフロップよりも簡単に構成することができるので、シフトレジスタの回路規模は、従来のようにシフトレジスタを２倍にする場合よりもはるかに抑制される。
【００３９】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【００４０】
また、本発明の表示装置のドライバ回路は、上記フリップフロップからの上記タイミングパルスにより、各上記第１スイッチを順次に導通させるとともに、上記スイッチ回路を上記信号供給線の数に対応して備え、各上記第２スイッチを順次に導通させてもよい。
【００４１】
上記の発明によれば、フリップフロップからのタイミングパルスにより各信号供給線に順次書き込みを行う、いわゆる点順次駆動方式のドライバ回路に対して、スイッチ回路によって信号供給線への点順次の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができる。
【００４２】
また、本発明の表示装置のドライバ回路は、上記フリップフロップからの上記タイミングパルスにより、上記信号供給線のｉ（ｉは２以上の整数）本を１単位として、各上記第１スイッチを上記単位内で同時にかつ各単位毎で順次に導通させるとともに、上記スイッチ回路を上記単位の数に対応して備え、上記第２スイッチを上記単位内で同時にかつ各上記単位毎で順次に導通させてもよい。
【００４３】
上記の発明によれば、フリップフロップからのタイミングパルスにより信号供給線を複数本ずつ順次に書き込みを行う、いわゆる多点同時駆動方式のドライバ回路に対して、スイッチ回路によって信号供給線への多点同時の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができる。
【００４４】
また、本発明の表示装置のドライバ回路は、上記フリップフロップは、セット・リセットフリップフロップであり、上記制御信号供給回路は、取り込んだ上記クロック信号をレベルシフトし、取り込んでレベルシフトした上記クロック信号を上記予備充電制御信号として出力するレベルシフト回路であり、各上記レベルシフト回路は、取り込んでレベルシフトを行った上記クロック信号を、上記タイミングパルスを出力した上記セット・リセットフリップフロップの次段の上記セット・リセットフリップフロップに転送されるセット信号としても出力し、各上記セット・リセットフリップフロップは、入力される上記セット信号を、より前段の所定の上記セット・リセットフリップフロップのリセット信号とする構成であってもよい。
【００４５】
すなわち、本発明の表示装置のドライバ回路は、上記従来の課題を解決するために、容量性の制御端子の充電電圧に応じて導通と非導通とが切り換わる第１スイッチを、表示装置に設けられた複数の信号供給線のそれぞれに対して備え、各上記信号供給線に対する書き込み信号の書き込みを各上記第１スイッチの導通により行う書き込み回路と、上記書き込みのタイミングパルスを上記第１スイッチの制御端子へ向けて出力するフリップフロップを、上記タイミングパルスを順次転送して上記書き込みが所定周期で行われるように複数段備えたシフトレジスタと、容量性の制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備えた表示装置のドライバ回路において、上記フリップフロップはセット・リセットフリップフロップであり、上記シフトレジスタは、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んでレベルシフトを行い、上記書き込みの期間中でない所定の上記信号供給線に対応する上記第２スイッチの制御端子へ向けて出力して該第２スイッチを導通させるレベルシフト回路を、上記書き込み実効期間に上記予備充電を行う上記信号供給線に対応するように複数個備えており、各上記レベルシフト回路は、取り込んでレベルシフトを行った上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とすることを特徴としている。
【００４６】
上記の発明によれば、書き込み回路の第１スイッチは、セット・リセットフリップフロップから書き込み信号の書き込みのタイミングパルスが出力されることにより制御端子が充電されて導通する一方、予備充電回路の第２スイッチは、タイミングパルスとは別の供給源から入力されるクロック信号がスイッチ回路によって取り込まれて出力されることにより制御端子が充電されて導通する。書き込み実効期間には各信号供給線が書き込みの期間となるが、セット・リセットフリップフロップがタイミングパルスを出力すると、その前段のセット・リセットフリップフロップから出力されたタイミングパルスが入力されたレベルシフト回路が取り込んでレベルシフトを行って出力したクロック信号は、書き込みの期間中でない所定の信号供給線の予備充電を行わせる。
【００４７】
さらに、各レベルシフト回路は、取り込んでレベルシフトを行ったクロック信号を、タイミングパルスを入力したセット・リセットフリップフロップの次段のセット・リセットフリップフロップに転送されるタイミングパルスであるセット信号としても出力し、各セット・リセットフリップフロップは、入力されるセット信号を、より前段の所定のセット・リセットフリップフロップのリセット信号とする。これにより、タイミングパルスを順次転送することができる。
【００４８】
このように、信号供給線に書き込み信号の書き込みを行っている間に、別の信号供給線の予備充電を行うことができる。また、このときに、書き込みのタイミングパルスが供給される系統と、予備充電を行わせる信号が供給される系統とは分離されるので、第１スイッチの制御信号回路と第２スイッチの制御信号回路とが共用されることはない。これにより、予備充電に伴って信号供給線に流れる大きな電流が、スイッチの容量性の制御端子を介して、そのときに書き込みを行っている信号供給線の書き込み信号の電位を揺動させてしまうことを回避することができる。また、クロック信号を取り込んでレベルシフトを行って出力するレベルシフト回路はフリップフロップよりも簡単に構成することができるので、シフトレジスタの回路規模は、従来のようにシフトレジスタを２倍にする場合よりもはるかに抑制される。
【００４９】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【００５０】
また、レベルシフト回路に入力されるクロック信号は低電圧信号でよいことから分かるように、レベルシフト回路は低電圧インタフェースとしての機能を備えており、クロック信号を発生する外部回路の低消費電力化を図ることができる。
【００５１】
また、本発明の表示装置のドライバ回路は、上記フリップフロップからの上記タイミングパルスにより、各上記第１スイッチを順次に導通させるとともに、上記レベルシフト回路を上記信号供給線の数に対応して備え、各上記第２スイッチを順次に導通させてもよい。
【００５２】
上記の発明によれば、フリップフロップからのタイミングパルスにより各信号供給線に順次書き込みを行う、いわゆる点順次駆動方式のドライバ回路に対して、レベルシフト回路によって信号供給線への点順次の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができる。
【００５３】
また、本発明の表示装置のドライバ回路は、上記フリップフロップからの上記タイミングパルスにより、上記信号供給線のｉ（ｉは２以上の整数）本を１単位として、各上記第１スイッチを上記単位内で同時にかつ各単位毎で順次に導通させるとともに、上記レベルシフト回路を上記単位の数に対応して備え、上記第２スイッチを上記単位内で同時にかつ各上記単位毎で順次に導通させてもよい。
【００５４】
上記の発明によれば、フリップフロップからのタイミングパルスにより信号供給線を複数本ずつ順次に書き込みを行う、いわゆる多点同時駆動方式のドライバ回路に対して、レベルシフト回路によって信号供給線への多点同時の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができる。
【００５５】
また、本発明のシフトレジスタは、上記従来の課題を解決するために、表示装置に設けられた複数の信号供給線に対する書き込み信号の書き込みのタイミングパルスを出力するフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記フリップフロップから入力されると、上記タイミングパルスとは別の供給源から入力されるクロック信号を取り込んで、該クロック信号に同期した信号を上記書き込みの期間中でない所定の上記信号供給線への予備充電を行わせるための信号として出力する制御信号供給回路を、上記書き込み実効期間に上記予備充電を行う上記信号供給線に対応するように複数個備えていることを特徴としている。
【００５６】
上記の発明によれば、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができる。
【００５７】
また、本発明のシフトレジスタは、上記フリップフロップは、セット・リセットフリップフロップであり、各上記制御信号供給回路は、上記クロック信号を上記予備充電制御信号として出力するスイッチ回路であり、各上記制御信号供給回路は、上記クロック信号を上記書き込みの期間中でない所定の上記信号供給線への予備充電を行わせるための信号として出力するスイッチ回路であり、各上記スイッチ回路は、取り込んだ上記クロック信号を、上記タイミングパルスを出力した上記セット・リセットフリップフロップの次段の上記セット・リセットフリップフロップに転送されるセット信号としても出力し、各上記セット・リセットフリップフロップは、入力される上記セット信号を、より前段の所定の上記セット・リセットフリップフロップのリセット信号とする構成であってもよい。
【００５８】
すなわち、本発明のシフトレジスタは、上記従来の課題を解決するために、表示装置に設けられた複数の信号供給線に対する書き込み信号の書き込みのタイミングパルスを出力するセット・リセットフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んで上記書き込みの期間中でない所定の上記信号供給線への予備充電を行わせるための信号として出力するスイッチ回路を、上記書き込み実効期間に上記予備充電を行う上記信号供給線に対応するように複数個備えており、各上記スイッチ回路は、取り込んだ上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とすることを特徴としている。
【００５９】
上記発明によれば、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができる。
【００６０】
また、本発明のシフトレジスタは、上記フリップフロップは、出力信号を次段の入力信号とするＤフリップフロップであり、上記Ｄフリップフロップには、入力される上記タイミングパルスとは別の供給源からクロック信号が入力されるようになっており、各上記制御信号供給回路は、上記クロック信号を上記書き込みの期間中でない所定の上記信号供給線への予備充電を行わせるための信号として出力するスイッチ回路である構成であってもよい。
【００６１】
すなわち、本発明のシフトレジスタは、上記従来の課題を解決するために、表示装置に設けられた複数の信号供給線に対する書き込み信号の書き込みのタイミングパルスを出力するＤフリップフロップを、出力信号が次段の入力信号となるようにして上記タイミングパルスを順次転送して上記書き込みが所定周期で行われるように複数段備え、上記Ｄフリップフロップに入力されるクロック信号は上記タイミングパルスとは別の供給源から入力されるようになっており、上記所定周期中で各上記信号供給線が上記書き込みの期間となる書き込み実効期間に、転送される上記タイミングパルスが上記Ｄフリップフロップから入力されると上記クロック信号を取り込んで上記書き込みの期間中でない所定の上記信号供給線への予備充電を行わせるための信号として出力するスイッチ回路を、上記書き込み実効期間に上記予備充電を行う上記信号供給線に対応するように複数個備えていることを特徴としている。
【００６２】
上記の発明によれば、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができる。
【００６３】
また、本発明のシフトレジスタは、上記従来の課題を解決するために、上記スイッチ回路を上記信号供給線の数に対応して備えてもよい。
【００６４】
上記の発明によれば、スイッチ回路によって信号供給線への点順次の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができる。
【００６５】
また、本発明のシフトレジスタは、上記従来の課題を解決するために、上記信号供給線のｉ（ｉは２以上の整数）本を１単位として、上記スイッチ回路を上記単位の数に対応して備えてもよい。
【００６６】
上記の発明によれば、スイッチ回路によって信号供給線への多点同時の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができる。
【００６７】
また、本発明のシフトレジスタは、上記フリップフロップは、セット・リセットフリップフロップであり、上記制御信号供給回路は、取り込んだ上記クロック信号をレベルシフトし、取り込んでレベルシフトした上記クロック信号を上記書き込みの期間中でない所定の上記信号供給線への予備充電を行わせるための信号として出力するレベルシフト回路であり、各上記レベルシフト回路は、取り込んでレベルシフトを行った上記クロック信号を、上記タイミングパルスを出力した上記セット・リセットフリップフロップの次段の上記セット・リセットフリップフロップに転送されるセット信号としても出力し、各上記セット・リセットフリップフロップは、入力される上記セット信号を、より前段の所定の上記セット・リセットフリップフロップのリセット信号とする構成であってもよい。
【００６８】
すなわち、本発明のシフトレジスタは、上記従来の課題を解決するために、表示装置に設けられた複数の信号供給線に対する書き込み信号の書き込みのタイミングパルスを出力するセット・リセットフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んでレベルシフトを行い、上記書き込みの期間中でない所定の上記信号供給線への予備充電を行わせるための信号として出力するレベルシフト回路を、上記書き込み実効期間に上記予備充電を行う上記信号供給線に対応するように複数個備えており、各上記レベルシフト回路は、取り込んでレベルシフトを行った上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とすることを特徴としている。
【００６９】
上記の発明によれば、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができる。
【００７０】
また、本発明のシフトレジスタは、上記従来の課題を解決するために、上記レベルシフト回路を上記信号供給線の数に対応して備えてもよい。
【００７１】
上記の発明によれば、レベルシフト回路によって信号供給線への点順次の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができる。
【００７２】
また、本発明のシフトレジスタは、上記従来の課題を解決するために、上記信号供給線のｉ（ｉは２以上の整数）本を１単位として、上記レベルシフト回路を上記単位の数に対応して備えてもよい。
【００７３】
上記の発明によれば、レベルシフト回路によって信号供給線への多点同時の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができる。
【００７４】
また、本発明の表示装置は、上記従来の課題を解決するために、複数の画素と、上記画素に対応して設けられる複数の信号供給線としてのデータ信号線および複数の信号供給線としての走査信号線と、書き込み信号としてのビデオ信号を上記データ信号線および上記画素に書き込むデータ信号線ドライバと、上記ビデオ信号を書き込む画素を選択するために上記走査信号線に書き込み信号としての走査信号を書き込む走査信号線ドライバとを備えた表示装置において、上記データ信号線ドライバを上記のいずれかの表示装置のドライバ回路とすることを特徴としている。
【００７５】
上記の発明によれば、データ信号線ドライバにおいて、予備充電回路を内部に備え、信号供給線に駆動能力の小さい予備充電電源から予備充電を行う場合に、シフトレジスタの回路規模を抑制しながら、他の信号供給線に供給される信号の揺動を回避することができる。従って、表示の均一性が向上した表示品位の高い表示装置を提供することができる。
【００７６】
【発明の実施の形態】
〔実施の形態１〕
本発明の一実施の形態について、図１および図２を用いて説明すれば、以下の通りである。
【００７７】
本実施の形態における表示装置のドライバ回路は、液晶表示装置のデータ信号線ドライバである。図１にこのようなデータ信号線ドライバ３１の構成を示す。
【００７８】
データ信号線ドライバ３１は、シフトレジスタ３１ａとサンプリング部３１ｂとを備えている。
【００７９】
シフトレジスタ３１ａは、複数段のセット・リセット型のフリップフロップＳＲＦＦ１・ＳＲＦＦ２・…と、複数のスイッチ回路（制御信号供給回路）ＡＳＷ１・ＡＳＷ２・…とを備えている。スイッチ回路ＡＳＷｋ（ｋ＝１，２，…）はフリップフロップＳＲＦＦｋのＱ出力を導通および非導通の制御信号としている。ｋが奇数であるスイッチ回路ＡＳＷｋは、導通すると、後述するタイミングパルスとは別の外部の供給源から供給されるクロック信号（予備充電制御信号（予備充電を行わせるための信号））ＳＣＫを取り込んで出力する。また、ｋが偶数であるスイッチ回路ＡＳＷｋは、導通すると、同じくタイミングパルスとは別の外部の供給源から供給されるクロック信号（予備充電制御信号）ＳＣＫＢを取り込んで出力する。クロック信号ＳＣＫＢはクロック信号ＳＣＫの反転信号である。
【００８０】
スイッチ回路ＡＳＷ１・ＡＳＷ２・…は、フリップフロップＳＲＦＦｋのＱ出力をスイッチＶ−ＡＳＷｎ（後述）へ送る信号線（第１信号線）Ｓ１と分離した信号線（第２信号線）Ｓ２を通して、クロック信号ＳＣＫ・ＳＣＫＢ（後述する出力信号ＳＲ１・ＳＲ２・…）をスイッチＰ−ＡＳＷｎ（後述）に出力する。また、スイッチ回路ＡＳＷ１・ＡＳＷ２・…は、フリップフロップＳＲＦＦｋのＱ出力をスイッチＶ−ＡＳＷｎ（後述）へ送る信号線（第１信号線）と分離した信号線を通して、外部の供給源からクロック信号ＳＣＫ・ＳＣＫＢを取り込む。
【００８１】
スイッチ回路ＡＳＷ１の出力は出力信号ＤＳＲ１であり、スイッチ回路ＡＳＷ２・ＡＳＷ３・…の出力は順に、出力信号ＳＲ１・ＳＲ２・…である。各スイッチ回路ＡＳＷｋの出力信号は、フリップフロップＳＲＦＦ（ｋ＋１）のセット信号となり、また、後述するサンプリング部３１ｂの予備充電回路が備えるスイッチＰ−ＡＳＷ（ｋ＋１）への入力信号となる。
【００８２】
スイッチ回路ＡＳＷ１・ＡＳＷ２・…として使用可能なスイッチ回路の一例を図１９に基づいて説明する。図１９は、スイッチ回路の一例の構成を示す回路図である。
【００８３】
スイッチ回路は、上記インバータ回路ＩＮＶ１１と、ｐｃｈトランジスタｐ１１およびｎｃｈトランジスタｎ１１によって構成されるＣＭＯＳスイッチと、ｎｃｈトランジスタｎ１２とによって構成されている。外部から入力される制御信号ＥＮに応じて、制御信号ＥＮがＨｉｇｈの場合には、ｎｃｈトランジスタｎ１２が閉じ、ＣＭＯＳスイッチのｐｃｈトランジスタｐ１１およびｎｃｈトランジスタｎ１１は開き、外部から入力された信号ＣＫＩＮが出力信号ＯＵＴとしてそのまま出力される。また、制御信号ＥＮがＬｏｗになると、ＣＭＯＳスイッチのｐｃｈトランジスタｐ１１およびｎｃｈトランジスタｎ１１は閉じ、ｎｃｈトランジスタｎ１２が開き、出力信号ＯＵＴはＬｏｗに固定される。制御信号ＥＮは、図１におけるフリップフロップＳＲＦＦｋのＱ出力に相当する。また、入力信号ＣＫＩＮは、図１におけるクロック信号ＳＣＫまたはＳＣＫＢに相当する。また、出力信号ＯＵＴは、図１における出力信号ＤＳＲ１・ＳＲ１・ＳＲ２・…に相当する。
【００８４】
フリップフロップＳＲＦＦｋのＱ出力は、ｋ＝１では出力信号ＤＱ１であり、ｋ＝２，３，…に対しては順に出力信号Ｑ１・Ｑ２・…である。スイッチ回路ＡＳＷ（ｋ＋２）の出力信号は、フリップフロップＳＲＦＦｋのリセット信号となる。初段のフリップフロップＳＲＦＦ１のセット信号としては、外部から入力されるスタートパルスＳＳＰが入力される。このスタートパルスＳＳＰは、スイッチＰ−ＡＳＷへの入力信号にもなる。フリップフロップＳＲＦＦ１の出力信号ＤＱ１はスイッチ回路ＡＳＷ１へ入力され、フリップフロップＳＲＦＦ２・ＳＲＦＦ３・…の出力信号Ｑ１・Ｑ２・…は順に、後述するサンプリング部３１ｂが備えるバッファＢｕｆ１・Ｂｕｆ２・…を介してサンプリング部３１ｂが備えるスイッチＶ−ＡＳＷ１・Ｖ−ＡＳＷ２・…に入力される。出力信号Ｑ１・Ｑ２・…は、後述するビデオ信号ＶＩＤＥＯのサンプリングのタイミングパルスとなる。
【００８５】
次に、サンプリング部（書き込み回路、予備充電回路）３１ｂは、バッファＢｕｆ１・Ｂｕｆ２・…と、スイッチＶ−ＡＳＷ１・Ｖ−ＡＳＷ２・…と、予備充電回路とを備えている。予備充電回路は、スイッチＰ−ＡＳＷ１・Ｐ−ＡＳＷ２・…を備えている。バッファＢｕｆ１・Ｂｕｆ２・…と、スイッチＶ−ＡＳＷ１・Ｖ−ＡＳＷ２・…とにより、書き込み回路が構成されている。
【００８６】
バッファＢｕｆｎ（ｎ＝１，２，…）は、それぞれ４つのインバータが縦続接続されたバッファであり、その入力は前述したようにシフトレジスタ３１ａから出力される出力信号Ｑｎである。スイッチ（第１スイッチ）Ｖ−ＡＳＷｎは、バッファＢｕｆｎの出力信号を入力信号とし、その入力信号がゲート（第１制御端子）Ｇに直接入力されるＮチャネルＭＯＳトランジスタ（ＴＦＴ）およびその入力信号が反転された信号がゲートＧに入力されるＰチャネルＭＯＳトランジスタ（ＴＦＴ）からなるアナログスイッチと、上記入力信号を反転してＰチャネルＭＯＳトランジスタのゲートに入力するインバータとからなる。各ＭＯＳトランジスタのゲートＧは容量性の制御端子であり、スイッチＶ−ＡＳＷｎは、ゲートの充電電圧に応じて導通と非導通とが切り換わる。各スイッチＶ−ＡＳＷｎのアナログスイッチのチャネル経路の一端には外部から供給されるアナログのビデオ信号（書き込み信号）ＶＩＤＥＯが共通に入力される。
【００８７】
スイッチ（第２スイッチ）Ｐ−ＡＳＷｎは、前述の説明からも分かるようにフリップフロップＳＲＦＦｋ（ｋ＝ｎ）のセット信号を入力信号とし、その入力信号がゲート（第２制御端子）Ｇ’に直接入力されるＮチャネルＭＯＳトランジスタおよびその入力信号が反転された信号がゲートＧ’に入力されるＰチャネルＭＯＳトランジスタからなるアナログスイッチと、上記入力信号を反転してＰチャネルＭＯＳトランジスタのゲートＧ’に入力するインバータとからなる。各ＭＯＳトランジスタのゲートＧ’は容量性の制御端子であり、スイッチＰ−ＡＳＷｎは、ゲートの充電電圧に応じて導通と非導通とが切り換わる。各スイッチＰ−ＡＳＷｎのアナログスイッチのチャネル経路の一端には、外部から印加される予備充電電位ＰＶＩＤが共通に入力される。
【００８８】
また、各スイッチＶ−ＡＳＷｎのアナログスイッチのチャネル経路の他端と、各スイッチＰ−ＡＳＷｎのアナログスイッチのチャネル経路の他端とは、液晶表示パネルに設けられたデータ信号線（信号供給線）ＳＬｎ（ｎ＝１，２，…）に接続されている。液晶表示パネルにはさらに、データ信号線ＳＬｎと直交するように走査信号線ＧＬ１・ＧＬ２・…が設けられている。データ信号線ＳＬｎと走査信号線ＧＬｍ（ｍ＝１，２，…）との交点にはマトリクス状に画素Ｐｉｘｍ−ｎ（ｍ＝１，２，…、ｎ＝１，２，…）が形成されている。各画素は、通常のアクティブマトリクス型の液晶表示装置と同じように、ＮチャネルＭＯＳトランジスタ（ＴＦＴ）、液晶容量、および補助容量を備えている。走査信号線ＧＬｍは所定周期で選択され、選択されている間、走査信号線ＧＬｍにつながれている画素のＭＯＳトランジスタを導通させる。
【００８９】
次に、上記の構成のデータ信号線ドライバの動作を、図２に示すタイミングチャートを用いて説明する。
【００９０】
ある走査信号線ＧＬｍが選択されている１期間について述べる。走査信号線ＧＬｍが選択されているので、データ信号線ＬＳへの予備充電では、データ信号線ＬＳとそれに接続されて選択されている画素との両方を充電する。スタートパルスＳＳＰが入力されると、フリップフロップＳＲＦＦ１から出力信号ＤＱ１が出力されるとともに、スタートパルスＳＳＰはスイッチＰ−ＡＳＷ１に入力される。これによりスイッチＰ−ＡＳＷ１のアナログスイッチは導通し（以下、スイッチが導通するあるいは非導通になると表現する）、予備充電電位ＰＶＩＤがデータ信号線ＳＬ１に印加される。これにより、データ信号線ＳＬ１と、選択されている画素の容量とが予備充電される。このとき、スイッチＶ−ＡＳＷ１は非導通であるので、予備充電電位ＰＶＩＤとビデオ信号ＶＩＤＥＯとがデータ信号線ＳＬ１上で衝突することはない。
【００９１】
また、出力信号ＤＱ１によってスイッチ回路ＡＳＷ１が導通し、クロック信号ＳＣＫを取り込んで出力信号ＤＳＲ１を出力する。出力信号ＤＳＲ１はフリップフロップＳＲＦＦ２のセット信号となり、フリップフロップＳＲＦＦ２は出力信号Ｑ１を出力する。出力信号Ｑ１によってスイッチＡＳＷ２が導通し、スイッチＡＳＷ２はクロック信号ＳＣＫＢを取り込んで出力信号ＳＲ１を出力する。また、出力信号Ｑ１はタイミングパルスとしてバッファＢｕｆ１を介してスイッチＶ−ＡＳＷ１を導通させる。これにより、データ信号線ＳＬ１にはビデオ信号ＶＩＤＥＯが供給され、データ信号線ＳＬ１および画素容量が所定の電圧に充電される。すなわち、ビデオ信号ＶＩＤＥＯのサンプリングが行われ、上記所定周期中の各データ信号線が順次サンプリングの期間となるサンプリング実効期間（書き込み実効期間）が開始される。
【００９２】
このときすでにスタートパルスＳＳＰはＬｏｗになっているため、スイッチＰ−ＡＳＷ１は非導通となっており、予備充電電位ＰＶＩＤとビデオ信号ＶＩＤＥＯとがデータ信号線ＳＬ１上で衝突することはない。また、出力信号ＤＳＲによってスイッチＰ−ＡＳＷ２が導通するので、ビデオ信号ＶＩＤＥＯがデータ信号線ＳＬ１に出力されると同時に、データ信号線ＳＬ２および画素容量が予備充電される。一方、出力信号ＳＲ１はフリップフロップＳＲＦＦ１のリセット信号となるので、ＳＲＦＦ１の出力信号ＤＱ１はＬｏｗになる。これにより、スイッチＡＳＷ１は非導通になる。
【００９３】
このようにして、データ信号線ＳＬｎの予備充電を行った後にデータ信号線ＳＬｎにビデオ信号ＶＩＤＥＯを供給し、このビデオ信号ＶＩＤＥＯの供給の間にデータ信号線ＳＬ（ｎ＋１）の予備充電を行うという動作を順次繰り返し、点順次でサンプリングが行われていく。この動作は、フリップフロップＳＲＦＦｋとスイッチＡＳＷｋとによって、タイミングパルスがシフトレジスタ中を後段のフリップフロップＳＲＦＦへ向けて順次転送されていく動作に準じている。図２に示すように、前後する各サンプリングの期間はクロック信号ＳＣＫ・ＳＣＫＢの半周期分ずつ重複している。この場合、各サンプリングの期間におけるタイミングパルスの立ち下がり時の画素容量およびデータ信号線の充電電位でサンプリング電位が決定される。
【００９４】
先に述べたサンプリング実効期間は、最終段のデータ信号線ドライバＳＬにおけるサンプリングが終了するまでの期間であり、この期間の間に行うサンプリングの期間中でないデータ信号線への予備充電は、タイミングパルスとは別の供給源から入力されるクロック信号ＳＣＫ・ＳＣＫＢがスイッチ回路ＡＳＷｋによって取り込まれて出力され、制御端子（ゲートＧ’）が充電されてスイッチＰ−ＡＳＷｎ（ｎ＝ｋ＋１）が導通することにより行われる。サンプリング実効期間に常にこのような予備充電を行うようにするため、スイッチ回路ＡＳＷｋの総数は、サンプリング実効期間に予備充電を行うデータ信号線ＳＬの数に等しくなっている。サンプリング実効期間外に行う予備充電（例えばデータ信号線ＬＳ１への予備充電）については、必ずしもこのようなスイッチ回路を用いなくてよい。
【００９５】
このように、データ信号線ＳＬにビデオ信号ＶＩＤＥＯのサンプリングを行っている間に、別のデータ信号線ＳＬの予備充電を行うことができる。また、このときに、サンプリングのタイミングパルスが供給される系統と、予備充電を行わせる信号が供給される系統とは分離されるので、スイッチＶ−ＡＳＷの制御信号回路とＰ−ＡＳＷの制御信号回路とが共用されることはない。これにより、予備充電に伴ってデータ信号線ＳＬに流れる大きな電流が、スイッチＰ−ＡＳＷの容量性の制御端子（ゲートＧ’）を介して、そのときに書き込みを行っているデータ信号線ＳＬのビデオ信号ＶＩＤＥＯの電位を揺動させてしまうことを回避することができる。また、クロック信号ＳＣＫ・ＳＣＫＢを取り込んで出力する各スイッチ回路ＡＳＷｋはフリップフロップよりも簡単に構成することができるので、シフトレジスタ３１ａの回路規模は、従来のようにシフトレジスタを２倍にする場合よりもはるかに抑制される。
【００９６】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【００９７】
なお、特許文献４に対して、本実施の形態では、データ信号線の予備充電を行うための制御信号としてクロック信号を取り込み、予備充電電位をデータ信号線へ印加するためのスイッチへ入力するという全く新しい思想を導入している。
【００９８】
〔実施の形態２〕
本発明の他の実施の形態について、図３および図４を用いて説明すれば、以下の通りである。なお、前記実施の形態１で述べた構成要素と同一の機能を有する構成要素には同一の符号を付し、その説明を省略する。
【００９９】
本実施の形態における表示装置のドライバ回路は、液晶表示装置のデータ信号線ドライバである。図３にこのようなデータ信号線ドライバ３２の構成を示す。
【０１００】
データ信号線ドライバ３２は、シフトレジスタ３２ａとサンプリング部（書き込み回路、予備充電回路）３２ｂとを備えている。
【０１０１】
シフトレジスタ３２ａは図１のシフトレジスタ３１ａと内部構成は同じであるが、予備充電用の信号の出力先が異なっている。フリップフロップＳＲＦＦ１のセット信号となるスタートパルスＳＳＰは、予備充電用の信号としては、スイッチＰ−ＡＳＷ２に入力される。また、出力信号ＤＳＲ１はスイッチＰ−ＡＳＷ３に入力される。さらに、出力信号ＳＲ（ｋ−１）（ｋ＝２，３，…）はスイッチＰ−ＡＳＷｎ（ｎ＝ｋ＋２）に入力される。
【０１０２】
サンプリング部３２ｂは、図１のサンプリング部３１ｂからスイッチＰ−ＡＳＷ１を取り除いた構成である。また、図１のデータ信号線ＳＬ１はダミーのデータ信号線ＤＳＬに置き換えられ、図１のデータ信号線ＳＬ２・ＳＬ３・…が順に図３ではデータ信号線ＳＬ１・ＳＬ２・…に置き換えられている。また、データ信号線ＤＳＬに接続される画素はダミーの画素Ｐｉｘｍ−Ｄ（ｍ＝１，２，…）に置き換えられ、データ信号線ＳＬ１・ＳＬ２・…に接続される画素はその分、水平方向にシフトされている。すなわち、本実施の形態のデータ信号線ドライバ３２は、ダミーのデータ信号線および画素を備えた表示装置のドライバ回路として好適に用いられる。
【０１０３】
図４は、上記構成のデータ信号線ドライバ３２の動作を示すタイミングチャートである。信号伝達の原理は図１の場合と同じであるので詳細な説明は省略する。特徴的なことは、例えば、スタートパルスＳＳＰによってスイッチＰ−ＡＳＷ２が導通することにより、データ信号線ＳＬ１が予備充電された後、クロック信号ＳＣＫ・ＳＣＫＢの半周期だけ時間が経過してからデータ信号線ＳＬ１へのサンプリングが行われるといったように、同じデータ信号線ＳＬへの予備充電の終了時とサンプリングの開始時とがクロック信号ＳＣＫ・ＳＣＫＢの半周期分だけずれていることである。
【０１０４】
これにより、実施の形態１で述べた効果に加えて、予備充電電位ＰＶＩＤとビデオ信号ＶＩＤＥＯとの衝突を確実に回避することができ、それだけ高品位の表示を得ることができるという効果がある。なお、上述したダミーの画素は、通常、ブラックマトリクスと呼ばれる遮光体の下に設けられるため、その画素の表示は画面には現れない。従って、ダミーの画素およびデータ信号線への予備充電を行う必要はない。
【０１０５】
〔実施の形態３〕
本発明のさらに他の実施の形態について、図５および図６を用いて説明すれば、以下の通りである。なお、前記実施の形態１および２で述べた構成要素と同一の機能を有する構成要素には同一の符号を付し、その説明を省略する。
【０１０６】
本実施の形態における表示装置のドライバ回路は、液晶表示装置のデータ信号線ドライバである。図５にこのようなデータ信号線ドライバ３３の構成を示す。
【０１０７】
データ信号線ドライバ３３は、シフトレジスタ３３ａとサンプリング部（書き込み回路、予備充電回路）３３ｂとを備えている。
【０１０８】
シフトレジスタ３３ａは、複数段のＤフリップフロップであるフリップフロップＤＦＦＤ１・ＤＦＦ１・ＤＦＦ２・…と、複数のスイッチ回路ＡＳＷＤ１・ＡＳＷ１・ＡＳＷ２・…とを備えている。初段のフリップフロップＤＦＦＤ１の入力信号ＩＮはスタートパルスＳＳＰであり、各フリップフロップのＱ出力は次段のフリップフロップの入力信号ＩＮとなるように、各フリップフロップが縦続接続されている。また、上記スイッチ回路のそれぞれは互いに同じ構成であり、スイッチ回路ＡＳＷＤ１はスタートパルスＳＳＰを、スイッチ回路ＡＳＷ１はフリップフロップＤＦＦＤ１のＱ出力を、スイッチ回路ＡＳＷ２・ＡＳＷ３・…は順にフリップフロップＤＦＦ１・ＤＦＦ２・…のＱ出力を、それぞれ導通および非導通の制御信号としている。
【０１０９】
スイッチ回路ＡＳＷＤ１とｋが偶数であるスイッチ回路ＡＳＷｋとは、導通すると、後述するタイミングパルスとは別の外部の供給源から供給される各フリップフロップの動作用のクロック信号ＳＣＫを取り込んで出力する。また、ｋが奇数であるスイッチ回路ＡＳＷｋは、導通すると、同じくタイミングパルスとは別の外部の供給源から供給される各フリップフロップの動作用のクロック信号ＳＣＫＢを取り込んで出力する。クロック信号ＳＣＫ・ＳＣＫＢは、各フリップフロップにおいては内部のクロックト・インバータの動作用に用いられる。
【０１１０】
スイッチ回路ＡＳＷＤ１の出力は出力信号ＤＳＲ１であり、スイッチ回路ＡＳＷ１の出力は出力信号ＤＳＲ２であり、スイッチ回路ＡＳＷ２・ＡＳＷ３・…の出力は順に、出力信号ＳＲ１・ＳＲ２・…である。各スイッチ回路ＡＳＷＤ１・ＡＳＷ１・ＡＳＷ２・…の出力信号は順に、後述するサンプリング部３３ｂの予備充電回路が備えるスイッチＰ−ＡＳＷ１・Ｐ−ＡＳＷ２・Ｐ−ＡＳＷ３・…への入力信号となる。
【０１１１】
フリップフロップＤＦＦＤ１のＱ出力は出力信号ＤＱ１であり、フリップフロップＤＦＦｎ（ｎ＝１，２，…）のＱ出力は出力信号Ｑｎである。フリップフロップＤＦＦｎの出力信号Ｑｎは、後述するサンプリング部３３ｂが備えるバッファＢｕｆｎを介してサンプリング部３３ｂが備えるスイッチＶ−ＡＳＷｎに入力される。出力信号Ｑｎは、後述するビデオ信号ＶＩＤＥＯのサンプリングのタイミングパルスとなる。
【０１１２】
また、サンプリング部（書き込み回路）３３ｂの内部構成は図１のサンプリング部３１ｂと同じであり、シフトレジスタ３３ａとの接続関係が上述したようになっている。また、データ信号線ＳＬｎ（ｎ＝１，２，…）、走査信号線ＳＬｍ（ｍ＝１，２，…）、および画素Ｐｉｘｍ−ｎ（ｍ＝１，２，…、ｎ＝１，２，…）は図１と同じである。
【０１１３】
ここで、レベルシフト回路ＬＳＤ０・ＬＳＤ１・ＬＳ１・ＬＳ２・…として使用可能なレベルシフト回路の一例について、図１６に基づいて以下に説明する。図１６は、レベルシフト回路の一例の構成を示す回路図である。
【０１１４】
レベルシフト回路は、外部から入力される制御信号ＥＮがＨｉｇｈになると、外部からクロック信号ＳＣＫ・ＳＣＫＢを取り込み、クロック信号ＳＣＫをレベルシフトした信号を出力信号ＯＵＴとして出力するものである。制御信号ＥＮは、図７におけるフリップフロップのＱ出力に相当する。また、出力信号ＯＵＴは、図７における出力信号ＤＬＳ１・ＬＲ１・ＬＲ２・…に相当する。
【０１１５】
ただし、レベルシフト回路がレベルシフト回路ＬＳＤ０である場合には、クロック信号ＳＣＫ・ＳＣＫＢに代えてスタートパルスＳＳＰ・ＳＳＰＢを取り込み、クロック信号ＳＳＰをレベルシフトした信号を出力信号ＯＵＴとして出力する。
【０１１６】
図１６のレベルシフト回路は、外部からの制御信号ＥＮに応じて動作を制御され、制御信号ＥＮがＨｉｇｈの場合に動作を開始する。また、本レベルシフト回路は、制御信号ＥＮがＬｏｗの場合には常に、出力信号ＯＵＴとしてＬｏｗを出力するようになっている。
【０１１７】
図１６の記号及び図１７のタイミングチャートを用いて、上記レベルシフト回路の動作を以下に説明する。図１７は、上記レベルシフト回路における入力信号、ノードの信号、および出力信号の波形を示すタイミングチャートである。
【０１１８】
今、図１７のタイミングチャートが示すように制御信号ＥＮがＨｉｇｈであり、クロック信号ＣＫがＨｉｇｈになると、制御信号ＥＮに応じて、ｐｃｈトランジスタｐ３・ｐ４が閉じ、ｎｃｈトランジスタｎ１・ｎ２が開く。このとき、ｐｃｈトランジスタｐ１・ｐ２およびｎｃｈトランジスタｎ３・ｎ４により、ノードａには、クロック信号ＣＫがＨｉｇｈのときには、ｐｃｈトランジスタｐ２を介してＨｉｇｈの信号が入力され、ノードａはＨｉｇｈとなる。次に、クロック信号ＣＫがＬｏｗとなると、ノードａにはｎｃｈトランジスタｎ４を介してＬｏｗの信号が入力され、ノードａはＬｏｗとなる。ノードａのそれぞれの状態（ＨｉｇｈまたはＬｏｗ）は、インバータ回路ＩＮＶ１・ＩＮＶ２によってレベルシフト回路の出力端に伝達され、出力信号ＯＵＴとして出力される。この信号は、レベルシフトされたクロック信号ＣＫとなって出力端に現れる。
【０１１９】
次に、制御信号ＥＮがＬｏｗとなると、ｐｃｈトランジスタｐ３・ｐ４が開く一方、ｎｃｈトランジスタｎ１・ｎ２が閉じる。このとき、ｐｃｈトランジスタｐ１・ｐ２のゲートには、電源ＶＣＣから電源電圧ＶＣＣが、ｐｃｈトランジスタｐ３・ｐ４を介して入力される。これにより、ｐｃｈトランジスタｐ１・ｐ２は閉じ、電源ＶＣＣから流れる電流のパスがなくなる。また、ｎｃｈトランジスタｎ３のゲートには、ｐｃｈトランジスタｐ１・ｐ２のゲートと同様に、電源電圧ＶＣＣが与えられるので、ｎｃｈトランジスタｎ３が開き、ノードａはＬｏｗとなる。これによって、上記レベルシフト回路の出力信号ＯＵＴはＬｏｗとなる。したがって、クロック信号ＣＫが電源電圧ＶＣＣより低い電位の振幅で入力されても、上記レベルシフト回路の出力信号ＯＵＴはＬｏｗとして得られる。また、制御信号ＥＮがＬｏｗの場合には、電源ＶＣＣよりの電流の流れるパスがなくなるため、必要外の電力消費を抑えることが可能となる。
【０１２０】
また、動作の説明はしないが、図１８の構成を備えるレベルシフト回路であっても図１６のレベルシフト回路と同様の効果が得られる。なお、図１８は、レベルシフト回路の他の一例の構成を示す回路図である。
【０１２１】
次に、上記構成のデータ信号線ドライバ３３の動作について、図６のタイミングチャートを用いて説明する。
【０１２２】
ある走査信号線ＧＬｍが選択されている１期間について述べる。走査信号線ＧＬｍが選択されているので、データ信号線ＬＳへの予備充電では、データ信号線ＬＳとそれに接続されて選択されている画素との両方を充電する。スタートパルスＳＳＰが入力されると、スイッチ回路ＡＳＷＤ１は導通し、クロック信号ＳＣＫを取り込んで出力信号ＤＳＲ１を出力する。これにより、スイッチＰ−ＡＳＷ１が導通してデータ信号線ＳＬ１に予備充電電位ＰＶＩＤが印加され、データ信号線ＳＬ１と画素容量とに予備充電が行われる。また、フリップフロップＤＦＦＤ１はクロック信号ＳＣＫの立ち上がり時にスタートパルスＳＳＰを出力信号ＤＱ１として出力し始め、クロック信号ＳＣＫの次の立ち上がり時までこれを保持する。フリップフロップＤＦＦ１は、出力信号ＤＱ１が入力されている間、クロック信号ＳＣＫＢの立ち上がり時に出力信号ＤＱ１を出力信号Ｑ１として出力し始め、クロック信号ＳＣＫＢの次の立ち上がり時までこれを保持する。出力信号Ｑ１がＨｉｇｈの間は出力信号Ｑ１はサンプリングのタイミングパルスとしてバッファＢｕｆ１を介してスイッチＶ−ＡＳＷ１を導通させる。これにより、データ信号線ＳＬ１および画素容量にビデオ信号ＶＩＤＥＯのサンプリングが行われる。これにより、サンプリング実効期間（書き込み実効期間）が開始される。このとき、すでに出力信号ＤＳＲ１はＬｏｗになっているため、スイッチＰ−ＡＳＷ１は非導通になっており、予備充電電位ＰＶＩＤとビデオ信号ＶＩＤＥＯとがデータ信号線ＳＬ１上で衝突することはない。
【０１２３】
また、出力信号ＤＱ１によりスイッチ回路ＡＳＷ１は導通し、クロック信号ＳＣＫＢを取り込んで出力信号ＤＳＲ２を出力するので、データ信号線ＳＬ１にサンプリングが行われている間には、データ信号線ＳＬ２の予備充電が行われる。
【０１２４】
このようにして、データ信号線ＳＬｎの予備充電を行った後にデータ信号線ＳＬｎにビデオ信号ＶＩＤＥＯを供給し、このビデオ信号ＶＩＤＥＯの供給の間にデータ信号線ＳＬ（ｎ＋１）の予備充電を行うという動作を順次繰り返し、点順次でサンプリングが行われていく。この動作は、フリップフロップＤＦＦＤ１・ＤＦＦ１・ＤＦＦ２・…によって、タイミングパルスがシフトレジスタ中を後段のフリップフロップへ向けて順次転送されていく動作に準じている。図６に示すように、前後する各サンプリングの期間はクロック信号ＳＣＫ・ＳＣＫＢの半周期分ずつ重複している。この場合、各サンプリングの期間におけるタイミングパルスの立ち下がり時の画素容量およびデータ信号線の充電電位でサンプリング電位が決定される。
【０１２５】
先に述べたサンプリング実効期間は、最終段のデータ信号線ドライバＳＬにおけるサンプリングが終了するまでの期間であり、この期間の間に行うサンプリングの期間中でないデータ信号線ＳＬへの予備充電は、タイミングパルスとは別の供給源から入力されるクロック信号ＳＣＫ・ＳＣＫＢがスイッチ回路ＡＳＷＤ１・ＡＳＷ１・ＡＳＷ２・…によって取り込まれて出力され、制御端子（ゲートＧ’）が充電されてスイッチＰ−ＡＳＷｎが導通することにより行われる。サンプリング実効期間に常にこのような予備充電を行うようにするため、スイッチ回路ＡＳＷｋの総数は、サンプリング実効期間に予備充電を行うデータ信号線ＳＬの数に等しくなっている。サンプリング実効期間外に行う予備充電（例えばデータ信号線ＳＬ１への予備充電）については、必ずしもこのようなスイッチ回路を用いなくてよい。
【０１２６】
このように、データ信号線ＳＬにビデオ信号ＶＩＤＥＯのサンプリングを行っている間に、別のデータ信号線ＳＬの予備充電を行うことができる。また、このときに、サンプリングのタイミングパルスが供給される系統と、予備充電を行わせる信号が供給される系統とは分離されるので、スイッチＶ−ＡＳＷの制御信号回路とＰ−ＡＳＷの制御信号回路とが共用されることはない。これにより、予備充電に伴ってデータ信号線ＳＬに流れる大きな電流が、スイッチＰ−ＡＳＷの容量性の制御端子（ゲートＧ’）を介して、そのときに書き込みを行っているデータ信号線ＳＬのビデオ信号ＶＩＤＥＯの電位を揺動させてしまうことを回避することができる。また、クロック信号ＳＣＫ・ＳＣＫＢを取り込んで出力する各スイッチ回路ＡＳＷＤ１・ＡＳＷｋはフリップフロップよりも簡単に構成することができるので、シフトレジスタ３３ａの回路規模は、従来のようにシフトレジスタを２倍にする場合よりもはるかに抑制される。
【０１２７】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【０１２８】
〔実施の形態４〕
本発明のさらに他の実施の形態について、図７および図８を用いて説明すれば、以下の通りである。なお、前記実施の形態１ないし３で述べた構成要素と同一の機能を有する構成要素には同一の符号を付し、その説明を省略する。
【０１２９】
本実施の形態における表示装置のドライバ回路は、液晶表示装置のデータ信号線ドライバである。図７にこのようなデータ信号線ドライバ３４の構成を示す。
【０１３０】
データ信号線ドライバ３４は、シフトレジスタ３４ａとサンプリング部（書き込み回路、予備充電回路）３４ｂとを備えている。
【０１３１】
シフトレジスタ３４ａは、図１のフリップフロップＳＲＦＦｋ（ｋ＝１，２，…）と、レベルシフト回路ＬＳＤ０・ＬＳＤ１・ＬＳ１・ＬＳ２・…とを備えている。レベルシフト回路ＬＳＤ１・ＬＳ１・ＬＳ２・…は順に、図１のスイッチ回路ＡＳＷ１・ＡＳＷ２・ＡＳＷ３・…を置き換えたものとなっている。レベルシフト回路ＬＳＤ１・ＬＳ１・ＬＳ２・…のそれぞれは互いに同じ構成であり、フリップフロップのＨｉｇｈのＱ出力が入力されるとクロック信号ＳＣＫ・ＳＣＫＢを取り込み、これらを用いてレベルシフトを行う。レベルシフト回路ＬＳＤ１・ＬＳ２・ＬＳ４・…はクロック信号ＳＣＫの波形のレベルシフトを行い、レベルシフト回路ＬＳＤ１・ＬＳ１・ＬＳ３・…はクロック信号ＳＣＫＢの波形のレベルシフトを行う。そして、レベルシフト回路ＬＳＤ１・ＬＳ１・ＬＳ２・…のそれぞれは、レベルシフトの結果として、順に出力信号ＤＬＳ１・ＬＲ１・ＬＲ２・…（予備充電制御信号）を出力する。これらの出力信号はそれぞれ次段のフリップフロップのセット信号となる。
【０１３２】
また、レベルシフト回路ＬＳＤ０は、初段のフリップフロップに入力されるスタートパルスＳＳＰのレベルシフトを行うために、スタートパルスＳＳＰ・ＳＳＰＢが入力されるレベルシフト回路である。スタートパルスＳＳＰＢはスタートパルスＳＳＰの反転信号である。レベルシフト回路ＬＳＤ０は、スタートパルスＳＳＰのレベルシフトを行って出力信号ＤＬＲ０として出力する。
【０１３３】
すなわち、本実施の形態のデータ信号線ドライバ３４は、外部から入力されるクロック信号ＳＣＫ・ＳＣＫＢやスタートパルス信号ＳＳＰといった信号の電圧レベルが低い場合の表示装置のドライバ回路として好適に用いられるものである。
【０１３４】
サンプリング部３４ｂは図１のサンプリング部３１ｂと内部構成は同じである。シフトレジスタ３４ａの出力信号ＤＬＳ０・ＤＬＳ１・ＬＲ１・ＬＲ２・…は順に、スイッチＰ−ＡＳＷ１・Ｐ−ＡＳＷ２・Ｐ−ＡＳＷ３・Ｐ−ＡＳＷ４・…の入力信号となる。
【０１３５】
また、データ信号線ＳＬｎ（ｎ＝１，２，…）、走査信号線ＳＬｍ（ｍ＝１，２，…）、および画素Ｐｉｘｍ−ｎ（ｍ＝１，２，…、ｎ＝１，２，…）は図１と同じである。
【０１３６】
次に、上記の構成のデータ信号線ドライバ３４の動作を、図８に示すタイミングチャートを用いて説明する。
【０１３７】
ある走査信号線ＧＬｍが選択されている１期間について述べる。走査信号線ＧＬｍが選択されているので、データ信号線ＬＳへの予備充電では、データ信号線ＬＳとそれに接続されて選択されている画素との両方を充電する。スタートパルスＳＳＰ・ＳＳＰＢが入力されると、レベルシフト回路ＬＳＤ０がこれのレベルシフトを行って出力信号ＤＬＲ０を出力する。すると、フリップフロップＳＲＦＦ１から出力信号ＤＱ１が出力されるとともに、スタートパルスＳＳＰはスイッチＰ−ＡＳＷ１に入力される。これによりスイッチＰ−ＡＳＷ１は導通し、予備充電電位ＰＶＩＤがデータ信号線ＳＬ１に印加される。これにより、データ信号線ＳＬ１と、選択されている画素の容量とが予備充電される。このとき、スイッチＶ−ＡＳＷ１は非導通であるので、予備充電電位ＰＶＩＤとビデオ信号ＶＩＤＥＯとがデータ信号線ＳＬ１上で衝突することはない。
【０１３８】
また、出力信号ＤＱ１が入力されることによってレベルシフト回路ＬＳＤ１はクロック信号ＳＣＫ・ＳＣＫＢを取り込んでクロック信号ＳＣＫのレベルシフトを行い出力信号ＤＬＳ１を出力する。出力信号ＤＬＳ１はフリップフロップＳＲＦＦ２のセット信号となり、フリップフロップＳＲＦＦ２は出力信号Ｑ１を出力する。出力信号Ｑ１が入力されることによってレベルシフト回路ＬＳ１はクロック信号ＳＣＫＢ・ＳＣＫを取り込んでクロック信号ＳＣＫＢのレベルシフトを行い出力信号ＬＲ１を出力する。また、出力信号Ｑ１はタイミングパルスとしてバッファＢｕｆ１を介してスイッチＶ−ＡＳＷ１を導通させる。これにより、データ信号線ＳＬ１にはビデオ信号ＶＩＤＥＯが供給され、データ信号線ＳＬ１および画素容量が所定の電圧に充電される。すなわち、ビデオ信号ＶＩＤＥＯのサンプリングが行われ、上記所定周期中の各データ信号線が順次サンプリングの期間となるサンプリング実効期間（書き込み実効期間）が開始される。
【０１３９】
このときすでにスタートパルスＳＳＰおよび出力信号ＤＬＲ０はＬｏｗになっているため、スイッチＰ−ＡＳＷ１は非導通となっており、予備充電電位ＰＶＩＤとビデオ信号ＶＩＤＥＯとがデータ信号線ＳＬ１上で衝突することはない。また、出力信号ＤＬＳ１によってスイッチＰ−ＡＳＷ２が導通するので、ビデオ信号ＶＩＤＥＯがデータ信号線ＳＬ１に出力されると同時に、データ信号線ＳＬ２および画素容量が予備充電される。一方、出力信号ＬＲ１はフリップフロップＳＲＦＦ１のリセット信号となるので、ＳＲＦＦ１の出力信号ＤＱ１はＬｏｗになる。これにより、レベルシフト回路ＬＳＤ１はレベルシフト動作を停止する。
【０１４０】
なお、シフトレジスタを構成するフリップフロップとして互いに縦続接続されるＤフリップフロップを用いたとすれば、上記のようにレベルシフト回路の動作の実行および停止を制御するためには、各段のＤフリップフロップの入力信号と出力信号との両方を用いなければならない。これに対して本実施の形態におけるシフトレジスタ３４ａにはセット・リセットフリップフロップを用いているので、レベルシフト回路の動作の実行および停止を制御するためには、前段のフリップフロップの出力信号のみを用いればよいので、構成が簡略化される。
【０１４１】
このようにして、データ信号線ＳＬｎの予備充電を行った後にデータ信号線ＳＬｎにビデオ信号ＶＩＤＥＯを供給し、このビデオ信号ＶＩＤＥＯの供給の間にデータ信号線ＳＬ（ｎ＋１）の予備充電を行うという動作を順次繰り返し、点順次でサンプリングが行われていく。この動作は、フリップフロップＳＲＦＦｋと各レベルシフト回路とによって、タイミングパルスがシフトレジスタ中を後段へ向けて順次転送されていく動作に準じている。図８に示すように、前後する各サンプリングの期間はクロック信号ＳＣＫ・ＳＣＫＢの半周期分ずつ重複している。この場合、各サンプリングの期間におけるタイミングパルスの立ち下がり時の画素容量およびデータ信号線ＳＬの充電電位でサンプリング電位が決定される。
【０１４２】
先に述べたサンプリング実効期間は、最終段のデータ信号線ドライバＳＬにおけるサンプリングが終了するまでの期間であり、この期間の間に行うサンプリングの期間中でないデータ信号線ＳＬへの予備充電は、タイミングパルスとは別の供給源から入力されるクロック信号ＳＣＫ・ＳＣＫＢがレベルシフト回路ＬＳＤ１・ＬＳ１・ＬＳ２・…によって取り込まれて出力され、制御端子（ゲートＧ’）が充電されてスイッチＰ−ＡＳＷｎが導通することにより行われる。サンプリング実効期間に常にこのような予備充電を行うようにするため、レベルシフト回路ＬＳＤ１・ＬＳ１・ＬＳ２・…の総数は、サンプリング実効期間に予備充電を行うデータ信号線ＳＬの数に等しくなっている。サンプリング実効期間外に行う予備充電（例えばデータ信号線ＳＬ１への予備充電）については、必ずしもこのようなレベルシフト回路を用いなくてよい。
【０１４３】
このように、データ信号線ＳＬにビデオ信号ＶＩＤＥＯのサンプリングを行っている間に、別のデータ信号線ＳＬの予備充電を行うことができる。また、このときに、サンプリングのタイミングパルスが供給される系統と、予備充電を行わせる信号が供給される系統とは分離されるので、スイッチＶ−ＡＳＷの制御信号回路とＰ−ＡＳＷの制御信号回路とが共用されることはない。これにより、予備充電に伴ってデータ信号線ＳＬに流れる大きな電流が、スイッチＰ−ＡＳＷの容量性の制御端子（ゲートＧ’）を介して、そのときに書き込みを行っているデータ信号線ＳＬのビデオ信号ＶＩＤＥＯの電位を揺動させてしまうことを回避することができる。また、クロック信号ＳＣＫ・ＳＣＫＢを取り込んでレベルシフトを行って出力する各レベルシフト回路ＬＳＤ１・ＬＳ１・ＬＳ２・…、およびレベルシフト回路ＬＳＤ０はフリップフロップよりも簡単に構成することができるので、シフトレジスタ３４ａの回路規模は、従来のようにシフトレジスタを２倍にする場合よりもはるかに抑制される。
【０１４４】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができる。
【０１４５】
また、レベルシフト回路に入力されるクロック信号は低電圧信号でよいことから分かるように、レベルシフト回路は低電圧インタフェースとしての機能を備えており、クロック信号を発生する外部回路の低消費電力化を図ることができる。
【０１４６】
なお、特許文献５および特許文献６に対して、本実施の形態では、データ信号線の予備充電を行うための制御信号を、クロック信号のレベルシフトを行って生成し、予備充電電位をデータ信号線へ印加するためのスイッチへ入力するようにするという全く新しい思想を導入している。
【０１４７】
〔実施の形態５〕
本発明のさらに他の実施の形態について、図９および図１０を用いて説明すれば、以下の通りである。なお、前記実施の形態１ないし４で述べた構成要素と同一の機能を有する構成要素には同一の符号を付し、その説明を省略する。
【０１４８】
データ信号線ドライバ３５は、シフトレジスタ３５ａとサンプリング部（書き込み回路、予備充電回路）３５ｂとを備えている。
【０１４９】
シフトレジスタ３５ａは図７のシフトレジスタ３４ａと内部構成は同じであるが、予備充電用の信号の出力先が異なっている。フリップフロップＳＲＦＦ１のセット信号となる出力信号ＤＬＲ０は、予備充電用の信号としては、スイッチＰ−ＡＳＷ２に入力される。また、出力信号ＤＬＳ１はスイッチＰ−ＡＳＷ３に入力される。さらに、出力信号ＬＲ１・ＬＲ２・…はスイッチＰ−ＡＳＷ４・Ｐ−ＡＳＷ５・…に入力される。
【０１５０】
サンプリング部３５ｂは、図７のサンプリング部３４ｂからスイッチＰ−ＡＳＷ１を取り除いた構成である。また、図７のデータ信号線ＳＬ１はダミーのデータ信号線ＤＳＬに置き換えられ、図７のデータ信号線ＳＬ２・ＳＬ３・…が順に図９ではデータ信号線ＳＬ１・ＳＬ２・…に置き換えられている。また、データ信号線ＤＳＬに接続される画素はダミーの画素Ｐｉｘｍ−Ｄ（ｍ＝１，２，…）に置き換えられ、データ信号線ＳＬ１・ＳＬ２・…に接続される画素はその分、水平方向にシフトされている。すなわち、本実施の形態のデータ信号線ドライバ３５は、ダミーのデータ信号線および画素を備えた表示装置のドライバ回路として好適に用いられる。
【０１５１】
図１０は、上記構成のデータ信号線ドライバ３５の動作を示すタイミングチャートである。信号伝達の原理は図７の場合と同じであるので詳細な説明は省略する。特徴的なことは、例えば、スタートパルスＳＳＰ、従って出力信号ＤＬＲ０によってスイッチＰ−ＡＳＷ２が導通することにより、データ信号線ＳＬ１が予備充電された後、クロック信号ＳＣＫ・ＳＣＫＢの半周期だけ時間が経過してからデータ信号線ＳＬ１へのサンプリングが行われるといったように、同じデータ信号線ＳＬへの予備充電の終了時とサンプリングの開始時とがクロック信号ＳＣＫ・ＳＣＫＢの半周期だけずれていることである。
【０１５２】
これにより、実施の形態４で述べた効果に加えて、予備充電電位ＰＶＩＤとビデオ信号ＶＩＤＥＯとの衝突を確実に回避することができ、それだけ高品位の表示を得ることができるという効果がある。なお、上述したダミーの画素は、通常、ブラックマトリクスと呼ばれる遮光体の下に設けられるため、その画素の表示は画面には現れない。従って、ダミーの画素およびデータ信号線への予備充電を行う必要はない。
【０１５３】
〔実施の形態６〕
本発明のさらに他の実施の形態について、図１１を用いて説明すれば、以下の通りである。なお、前記実施の形態１ないし５で述べた構成要素と同一の機能を有する構成要素には同一の符号を付し、その説明を省略する。
【０１５４】
図１１に本実施の形態の表示装置である液晶表示装置１の構成を示す。
【０１５５】
液晶表示装置１は画素の点順次かつ交流駆動を行うアクティブマトリクス型の液晶表示装置であり、マトリクス状に配された画素Ｐｉｘを有する表示部２と、各画素Ｐｉｘを駆動するデータ信号線ドライバ３および走査信号線ドライバ４と、制御回路５と、データ信号線ＳＬ…および走査信号線ＧＬ…とを備えている。制御回路５が各画素Ｐｉｘの表示状態を示すビデオ信号ＶＩＤＥＯを生成すると、このビデオ信号ＶＩＤＥＯに基づいて画像を表示することができる。
【０１５６】
ここで、表示部２は実施の形態１ないし５で述べた画素Ｐｉｘｍ−ｎ（ｍ＝１，２，…、ｎ＝１，２，…）およびダミーの画素と同じものである。データ信号線ドライバ３には、実施の形態１ないし５で述べたデータ信号線ドライバ３１〜３５のいずれかを用いている。データ信号線ドライバ３のシフトレジスタ３ａおよびサンプリング部（書き込み回路、予備充電回路）３ｂは、実施の形態１ないし５で述べたシフトレジスタ３１ａ〜３５ａおよびサンプリング部３１ｂ〜３５ｂに相当する。
【０１５７】
また、走査信号線ドライバ４は、実施の形態１ないし５で述べた走査信号線ＧＬｎを線順次に駆動してそれぞれに接続された画素のＭＯＳＦＥＴ（ＴＦＴ）を選択する回路である。また、走査信号線ドライバ４は走査信号線ＧＬの選択を線順次で行うタイミング信号を転送するためのシフトレジスタ４ａを備えている。
【０１５８】
上記表示部２、データ信号線ドライバ３、および走査信号線ドライバ４は、製造時の手間と、配線容量とを削減するために、同一基板上に設けられている。また、より多くの画素Ｐｉｘを集積し、表示面積を拡大するために、上記表示部２、データ信号線ドライバ３、および走査信号線ドライバ４は、ガラス基板上に形成された多結晶シリコン薄膜トランジスタから構成されている。さらに、通常のガラス基板（歪み点が６００度以下のガラス基板）を用いても、歪み点以上のプロセスに起因するソリやタワミが発生しないように、上記多結晶薄膜シリコントランジスタは、６００度以下のプロセス温度で製造される。
【０１５９】
また、制御回路５は、クロック信号ＳＣＫ・ＳＣＫＢ、スタートパルスＳＳＰ、予備充電電位ＰＶＩＤ、およびビデオ信号ＶＩＤＥＯを生成してデータ信号線ドライバ３へ向けて出力する。さらに制御回路５は、クロック信号ＧＣＫ、スタートパルスＧＳＰ、および信号ＧＰＳを生成して走査信号線ドライバ４へ向けて出力する。
【０１６０】
上記の構成により、液晶表示装置１では実施の形態１ないし５で述べた効果が得られ、高い表示品位で表示を行うことができる。
【０１６１】
また、本発明の表示装置は液晶表示装置に限らず、有機ＥＬ表示装置などでもよく、配線容量を充電する必要のある表示装置であればどのようなものでもよい。
【０１６２】
〔実施の形態７〕
本発明のさらに他の実施の形態について、図１２ないし図１５に基づいて説明すれば、以下の通りである。なお、前記実施の形態１ないし６で述べた構成要素と同一の機能を有する構成要素には同一の符号を付し、その説明を省略する。
【０１６３】
前記実施の形態１ないし５の表示装置のドライバ回路は、複数のデータ信号線に順次書き込みを行う、いわゆる点順次駆動方式のドライバ回路示している。例えば、実施の形態１の表示装置のドライバ回路をみると、サンプリング用のスイッチＶ−ＡＳＷの導通・非導通を制御するシフトレジスタの出力Ｑと、シフトレジスタを構成するフリップフロップＳＲＦＦの次段へのセット信号および予備充電用のスイッチＰ−ＡＳＷの導通・非導通を制御する信号ＳＲが、それぞれ１系統のスイッチに関連する事例について説明してきたが、図１２に示すようにサンプリングがＲＧＢ信号の３系統のものにも本発明は適用可能である。
【０１６４】
また、図１３に示すようにビデオ信号を複数系統に相展開して、ビデオ信号のサンプリング周期を遅くするようなものにも本発明は適用可能である。なお、図面を簡略化して作成しているため、予備充電用のスイッチおよび本サンプリング用のスイッチを図１２とは異なる記号で示しているが、実際には図１４に示すように同じものを用いていると考えてよい。同様に、本サンプリング用アナログスイッチを駆動するためのバッファ群も図１２とは異なる記号で示しているが、図１５に示すように同じものを用いていると考えてよい。同様に、シフトレジスタも図１２とは異なるものではなく、実際には図１２と同じような構成であると考えてよい。但し、バッファ群は、予備充電およびサンプリングの系統数に対して十分な駆動能力のものとする必要がある。
【０１６５】
ここで、図１２および図１３のように、信号供給線のｉ（ｉは２以上の整数）本を１単位としてサンプリングをｉ系統にする場合には、フリップフロップからのタイミングパルスにより、サンプリング用のスイッチを単位内で同時にかつ各単位毎で順次に導通させるとともに、スイッチ回路を単位の数に対応して備え、予備充電用のスイッチを単位内で同時にかつ各単位毎で順次に導通させている。基本的な動作は１系統の場合と同様であるが、サンプリング用のスイッチおよび予備充電用のスイッチを複数個同時に導通させていることが異なる点である。
【０１６６】
さらに、本発明は、図１２および図１３に限定されることはなく、実施形態１ないし５の表示装置のドライバ回路において、図１２および図１３のように予備充電およびサンプリングの系統数を複数にしたものを適用することができる。
【０１６７】
【発明の効果】
本発明の表示装置のドライバ回路は、以上のように、複数の信号供給線が設けられた表示装置のためのドライバ回路であって、容量性の第１制御端子の充電電圧に応じて導通と非導通とが切り換わる第１スイッチを、上記複数の信号供給線のそれぞれに対して備え、各上記信号供給線に対する書き込み信号の書き込みを各上記第１スイッチの導通により行う書き込み回路と、上記書き込みのタイミングパルスを上記第１スイッチの第１制御端子へ向けて出力するフリップフロップを、上記タイミングパルスを順次転送して上記書き込みが所定周期で行われるように複数段備えたシフトレジスタと、容量性の第２制御端子の充電電圧に応じて導通と非導通とが切り換わる第２スイッチを上記信号供給線のそれぞれに対して備え、各上記信号供給線への予備充電を各上記第２スイッチの導通により行う予備充電回路とを備え、上記予備充電回路は、一部の信号供給線に対して上記書き込み回路による書き込み信号の書き込みが行われている間に、他の信号供給線の予備充電を行うものであり、上記シフトレジスタは、上記タイミングパルスを上記第１制御端子へ送る第１信号線とは分離した第２信号線を通して、第２スイッチの導通を制御する予備充電制御信号を上記第２制御端子に出力する制御信号供給回路を備えている構成である。
【０１６８】
それゆえ、信号供給線に書き込み信号の書き込みを行っている間に、別の信号供給線の予備充電を行うことができる。また、このときに、第１スイッチの制御信号回路と第２スイッチの制御信号回路とが共用されることはない。これにより、予備充電に伴って信号供給線に流れる大きな電流が、第１スイッチの容量性の第１制御端子および第２スイッチの容量性の第２の制御端子を介して、そのときに書き込みを行っている信号供給線の書き込み信号の電位を揺動させてしまうことを回避することができる。また、第２スイッチの導通を制御する予備充電制御信号を上記第２制御端子に出力する制御信号供給回路はフリップフロップよりも簡単に構成することができるので、シフトレジスタの回路規模は、従来のようにシフトレジスタを２倍にする場合よりもはるかに抑制される。
【０１６９】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができるという効果を奏する。
【０１７０】
本発明の表示装置のドライバ回路は、以上のように、上記フリップフロップはセット・リセットフリップフロップであり、上記シフトレジスタは、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んで上記書き込みの期間中でない所定の上記信号供給線に対応する上記第２スイッチの制御端子へ向けて出力して該第２スイッチを導通させるスイッチ回路を、上記書き込み実効期間に上記予備充電を行う上記信号供給線に対応するように複数個備えており、各上記スイッチ回路は、取り込んだ上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とする構成である。
【０１７１】
それゆえ、信号供給線に書き込み信号の書き込みを行っている間に、別の信号供給線の予備充電を行うことができる。また、このときに、第１スイッチの制御信号回路と第２スイッチの制御信号回路とが共用されることはない。これにより、予備充電に伴って信号供給線に流れる大きな電流が、スイッチの容量性の制御端子を介して、そのときに書き込みを行っている信号供給線の書き込み信号の電位を揺動させてしまうことを回避することができる。また、クロック信号を取り込んで出力するスイッチ回路はフリップフロップよりも簡単に構成することができるので、シフトレジスタの回路規模は、従来のようにシフトレジスタを２倍にする場合よりもはるかに抑制される。
【０１７２】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができるという効果を奏する。
【０１７３】
また、本発明の表示装置のドライバ回路は、以上のように、上記フリップフロップは出力信号を次段の入力信号とするＤフリップフロップであり、上記Ｄフリップフロップに入力されるクロック信号は上記タイミングパルスとは別の供給源から入力されるようになっており、上記シフトレジスタは、上記所定周期中で各上記信号供給線が上記書き込みの期間となる書き込み実効期間に、転送される上記タイミングパルスが上記Ｄフリップフロップから入力されると上記クロック信号を取り込んで上記書き込みの期間中でない所定の上記信号供給線に対応する上記第２スイッチの制御端子へ向けて出力して該第２スイッチを導通させるスイッチ回路を、上記書き込み実効期間に上記予備充電を行う上記信号供給線に対応するように複数個備えている構成である。
【０１７４】
それゆえ、信号供給線に書き込み信号の書き込みを行っている間に、別の信号供給線の予備充電を行うことができる。また、このときに、第１スイッチの制御信号回路と第２スイッチの制御信号回路とが共用されることはない。これにより、予備充電に伴って信号供給線に流れる大きな電流が、スイッチの容量性の制御端子を介して、そのときに書き込みを行っている信号供給線の書き込み信号の電位を揺動させてしまうことを回避することができる。また、クロック信号を取り込んで出力するスイッチ回路はフリップフロップよりも簡単に構成することができるので、シフトレジスタの回路規模は、従来のようにシフトレジスタを２倍にする場合よりもはるかに抑制される。
【０１７５】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができるという効果を奏する。
【０１７６】
また、本発明の表示装置のドライバ回路は、以上のように、上記フリップフロップからの上記タイミングパルスにより、各上記第１スイッチを順次に導通させるとともに、上記スイッチ回路を上記信号供給線の数に対応して備え、各上記第２スイッチを順次に導通させてもよい。
【０１７７】
それゆえ、フリップフロップからのタイミングパルスにより各信号供給線に順次書き込みを行う、いわゆる点順次駆動方式のドライバ回路に対して、スイッチ回路によって信号供給線への点順次の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができるという効果を奏する。
【０１７８】
また、本発明の表示装置のドライバ回路は、以上のように、上記フリップフロップからの上記タイミングパルスにより、上記信号供給線のｉ（ｉは２以上の整数）本を１単位として、各上記第１スイッチを上記単位内で同時にかつ各単位毎で順次に導通させるとともに、上記スイッチ回路を上記単位の数に対応して備え、上記第２スイッチを上記単位内で同時にかつ各上記単位毎で順次に導通させてもよい。
【０１７９】
それゆえ、フリップフロップからのタイミングパルスにより信号供給線を複数本ずつ順次に書き込みを行う、いわゆる多点同時駆動方式のドライバ回路に対して、スイッチ回路によって信号供給線への多点同時の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができるという効果を奏する。
【０１８０】
また、本発明の表示装置のドライバ回路は、以上のように、上記フリップフロップはセット・リセットフリップフロップであり、上記シフトレジスタは、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んでレベルシフトを行い、上記書き込みの期間中でない所定の上記信号供給線に対応する上記第２スイッチの制御端子へ向けて出力して該第２スイッチを導通させるレベルシフト回路を、上記書き込み実効期間に上記予備充電を行う上記信号供給線に対応するように複数個備えており、各上記レベルシフト回路は、取り込んでレベルシフトを行った上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とする構成である。
【０１８１】
それゆえ、信号供給線に書き込み信号の書き込みを行っている間に、別の信号供給線の予備充電を行うことができる。また、このときに、第１スイッチの制御信号回路と第２スイッチの制御信号回路とが共用されることはない。これにより、予備充電に伴って信号供給線に流れる大きな電流が、スイッチの容量性の制御端子を介して、そのときに書き込みを行っている信号供給線の書き込み信号の電位を揺動させてしまうことを回避することができる。また、クロック信号を取り込んでレベルシフトを行って出力するレベルシフト回路はフリップフロップよりも簡単に構成することができるので、シフトレジスタの回路規模は、従来のようにシフトレジスタを２倍にする場合よりもはるかに抑制される。
【０１８２】
以上により、予備充電回路を内部に備え、信号供給線に駆動能力の小さい予備充電電源から予備充電を行う場合に、シフトレジスタの回路規模を抑制しながら、他の信号供給線に供給される信号の揺動を回避することのできる表示装置のドライバ回路を提供することができるという効果を奏する。
【０１８３】
また、レベルシフト回路に入力されるクロック信号は低電圧信号でよいことから分かるように、レベルシフト回路は低電圧インタフェースとしての機能を備えており、クロック信号を発生する外部回路の低消費電力化を図ることができるという効果を奏する。
【０１８４】
また、本発明の表示装置のドライバ回路は、以上のように、上記フリップフロップからの上記タイミングパルスにより、各上記第１スイッチを順次に導通させるとともに、上記レベルシフト回路を上記信号供給線の数に対応して備え、各上記第２スイッチを順次に導通させてもよい。
【０１８５】
それゆえ、フリップフロップからのタイミングパルスにより各信号供給線に順次書き込みを行う、いわゆる点順次駆動方式のドライバ回路に対して、レベルシフト回路によって信号供給線への点順次の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができるという効果を奏する。
【０１８６】
また、本発明の表示装置のドライバ回路は、以上のように、上記フリップフロップからの上記タイミングパルスにより、上記信号供給線のｉ（ｉは２以上の整数）本を１単位として、各上記第１スイッチを上記単位内で同時にかつ各単位毎で順次に導通させるとともに、上記レベルシフト回路を上記単位の数に対応して備え、上記第２スイッチを上記単位内で同時にかつ各上記単位毎で順次に導通させてもよい。
【０１８７】
それゆえ、フリップフロップからのタイミングパルスにより信号供給線を複数本ずつ順次に書き込みを行う、いわゆる多点同時駆動方式のドライバ回路に対して、レベルシフト回路によって信号供給線への多点同時の導通を制御される予備充電回路を内部に備え、信号供給線に駆動能力の小さい充電電源から予備充電を行う場合に、シフトレジスタの回路規模を抑制しながら、他の信号供給線に供給される信号の揺動を回避することのできる表示装置のドライバ回路を提供することができるという効果を奏する。
【０１８８】
また、本発明のシフトレジスタは、以上のように、表示装置に設けられた複数の信号供給線に対する書き込み信号の書き込みのタイミングパルスを出力するフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記フリップフロップから入力されると、上記タイミングパルスとは別の供給源から入力されるクロック信号を取り込んで、該クロック信号に同期した信号を上記書き込みの期間中でない所定の上記信号供給線への予備充電を行わせるための信号として出力する制御信号供給回路を、上記書き込み実効期間に上記予備充電を行う上記信号供給線に対応するように複数個備えている構成である。
【０１８９】
それゆえ、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０１９０】
また、本発明のシフトレジスタは、以上のように、表示装置に設けられた複数の信号供給線に対する書き込み信号の書き込みのタイミングパルスを出力するセット・リセットフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んで上記書き込みの期間中でない所定の上記信号供給線への予備充電を行わせるための信号として出力するスイッチ回路を、上記書き込み実効期間に上記予備充電を行う上記信号供給線に対応するように複数個備えており、各上記スイッチ回路は、取り込んだ上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とする構成である。
【０１９１】
それゆえ、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０１９２】
また、本発明のシフトレジスタは、以上のように、表示装置に設けられた複数の信号供給線に対する書き込み信号の書き込みのタイミングパルスを出力するＤフリップフロップを、出力信号が次段の入力信号となるようにして上記タイミングパルスを順次転送して上記書き込みが所定周期で行われるように複数段備え、上記Ｄフリップフロップに入力されるクロック信号は上記タイミングパルスとは別の供給源から入力されるようになっており、上記所定周期中で各上記信号供給線が上記書き込みの期間となる書き込み実効期間に、転送される上記タイミングパルスが上記Ｄフリップフロップから入力されると上記クロック信号を取り込んで上記書き込みの期間中でない所定の上記信号供給線への予備充電を行わせるための信号として出力するスイッチ回路を、上記書き込み実効期間に上記予備充電を行う上記信号供給線に対応するように複数個備えている構成である。
【０１９３】
それゆえ、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０１９４】
また、本発明のシフトレジスタは、以上のように、上記スイッチ回路を上記信号供給線の数に対応して備えてもよい。
【０１９５】
それゆえ、スイッチ回路によって信号供給線への点順次の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０１９６】
また、本発明のシフトレジスタは、以上のように、上記信号供給線のｉ（ｉは２以上の整数）本を１単位として、上記スイッチ回路を上記単位の数に対応して備えてもよい。
【０１９７】
それゆえ、スイッチ回路によって信号供給線への多点同時の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０１９８】
また、本発明のシフトレジスタは、以上のように、表示装置に設けられた複数の信号供給線に対する書き込み信号の書き込みのタイミングパルスを出力するセット・リセットフリップフロップを、上記タイミングパルスを順次転送して上記書き込みが所定周期で行われるように複数段備え、上記所定周期中で各上記信号供給線が上記書き込みの期間となる書き込み実効期間に、転送される上記タイミングパルスが上記セット・リセットフリップフロップから入力されると、上記タイミングパルスとは別の供給源から入力されるクロック信号を取り込んでレベルシフトを行い、上記書き込みの期間中でない所定の上記信号供給線への予備充電を行わせるための信号として出力するレベルシフト回路を、上記書き込み実効期間に上記予備充電を行う上記信号供給線に対応するように複数個備えており、各上記レベルシフト回路は、取り込んでレベルシフトを行った上記クロック信号を、上記タイミングパルスを入力した上記セット・リセットフリップフロップの次段の上記セット・リセットフリップフロップに転送される上記タイミングパルスであるセット信号としても出力し、各上記セット・リセットフリップフロップは、入力される上記セット信号を、より前段の所定の上記セット・リセットフリップフロップのリセット信号とする構成である。
【０１９９】
それゆえ、予備充電回路を内部に備え、信号供給線に駆動能力の小さい予備充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０２００】
また、本発明のシフトレジスタは、以上のように、上記レベルシフト回路を上記信号供給線の数に対応して備えてもよい。
【０２０１】
それゆえ、レベルシフト回路によって信号供給線への点順次の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０２０２】
また、本発明のシフトレジスタは、以上のように、上記信号供給線のｉ（ｉは２以上の整数）本を１単位として、上記レベルシフト回路を上記単位の数に対応して備えてもよい。
【０２０３】
それゆえ、レベルシフト回路によって信号供給線への多点同時の導通を制御される予備充電回路を内部に備え、信号供給線に駆動能力の小さい充電電源から予備充電を行う場合に他の信号供給線に供給される信号の揺動を回避することのできる表示装置のドライバ回路に対して、好適に用いられる回路規模の抑制されたシフトレジスタを提供することができるという効果を奏する。
【０２０４】
また、本発明の表示装置は、以上のように、複数の画素と、上記画素に対応して設けられる複数の信号供給線としてのデータ信号線および複数の信号供給線としての走査信号線と、書き込み信号としてのビデオ信号を上記データ信号線および上記画素に書き込むデータ信号線ドライバと、上記ビデオ信号を書き込む画素を選択するために上記走査信号線に書き込み信号としての走査信号を書き込む走査信号線ドライバとを備えた表示装置において、上記データ信号線ドライバを上記のいずれかの表示装置のドライバ回路とする構成である。
【０２０５】
それゆえ、データ信号線ドライバや走査信号線ドライバにおいて、予備充電回路を内部に備え、信号供給線に駆動能力の小さい予備充電電源から予備充電を行う場合に、シフトレジスタの回路規模を抑制しながら、他の信号供給線に供給される信号の揺動を回避することができる。従って、表示の均一性が向上した表示品位の高い表示装置を提供することができるという効果を奏する。
【図面の簡単な説明】
【図１】本発明の第１の実施の形態に係るデータ信号線ドライバの構成を示す回路ブロック図である。
【図２】図１のデータ信号線ドライバの動作に関わる信号のタイミングチャートである。
【図３】本発明の第２の実施の形態に係るデータ信号線ドライバの構成を示す回路ブロック図である。
【図４】図３のデータ信号線ドライバの動作に関わる信号のタイミングチャートである。
【図５】本発明の第３の実施の形態に係るデータ信号線ドライバの構成を示す回路ブロック図である。
【図６】図５のデータ信号線ドライバの動作に関わる信号のタイミングチャートである。
【図７】本発明の第４の実施の形態に係るデータ信号線ドライバの構成を示す回路ブロック図である。
【図８】図７のデータ信号線ドライバの動作に関わる信号のタイミングチャートである。
【図９】本発明の第５の実施の形態に係るデータ信号線ドライバの構成を示す回路ブロック図である。
【図１０】図９のデータ信号線ドライバの動作に関わる信号のタイミングチャートである。
【図１１】本発明の第６の実施の形態に係る表示装置の構成を示す回路ブロック図である。
【図１２】本発明の第７の実施の形態に係るデータ信号線ドライバの構成を示す回路ブロック図である。
【図１３】本発明の第７の実施の形態に係る他のデータ信号線ドライバの構成を示す回路ブロック図である。
【図１４】本発明の第７の実施の形態に係るデータ信号線ドライバの一部の構成を示す回路ブロック図である。
【図１５】本発明の第７の実施の形態に係るデータ信号線ドライバの一部の構成を示す回路ブロック図である。
【図１６】レベルシフト回路の一例の構成を示す回路図である。
【図１７】上記レベルシフト回路における入力信号、ノードの信号、および出力信号の波形を示すタイミングチャートである。
【図１８】レベルシフト回路の他の一例の構成を示す回路図である。
【図１９】スイッチ回路の一例の構成を示す回路図である。
【符号の説明】
１　　　　液晶表示装置（表示装置）
３　　　　データ信号線ドライバ（表示装置のドライバ回路）
３ａ　　　シフトレジスタ
３ｂ　　　サンプリング部（書き込み回路、予備充電回路）
４　　　　走査信号線ドライバ
４ａ　　　シフトレジスタ
３１〜３５データ信号線ドライバ（表示装置のドライバ回路）
３１ａ〜３５ａシフトレジスタ
３１ｂ〜３５ｂサンプリング部（書き込み回路、予備充電回路）
ＡＳＷ　　スイッチ回路（制御信号供給回路）
Ｖ−ＡＳＷスイッチ（第１スイッチ）
Ｐ−ＡＳＷスイッチ（第２スイッチ）
ＳＲＦＦ　フリップフロップ（セット・リセットフリップフロップ）
ＤＦＦ　　フリップフロップ（Ｄフリップフロップ）
ＬＳ　　　レベルシフト回路（制御信号供給回路）
ＧＬ　　　走査信号線（信号供給線）
ＳＬ　　　データ信号線（信号供給線）
Ｐｉｘ　　画素
Ｇ　　　　ゲート（第１制御端子）
Ｇ’　　　ゲート（第２制御端子）
ＳＣＫ、ＳＣＫＢクロック信号（予備充電制御信号）
ＬＲｎ　　レベルシフトしたクロック信号（予備充電制御信号）
ＶＩＤＥＯビデオ信号（書き込み信号）
Ｑ１、Ｑ２、…出力信号（タイミングパルス）
【図１】
2004054235.tif 000003
【図２】
2004054235.tif 000004
【図３】
2004054235.tif 000005
【図４】
2004054235.tif 000006
【図５】
2004054235.tif 000007
【図６】
2004054235.tif 000008
【図７】
2004054235.tif 000009
【図８】
2004054235.tif 000010
【図９】
2004054235.tif 000011
【図１０】
2004054235.tif 000012
【図１１】
2004054235.tif 000013
【図１２】
2004054235.tif 000014
【図１３】
2004054235.tif 000015
【図１４】
2004054235.tif 000016
【図１５】
2004054235.tif 000017
【図１６】
2004054235.tif 000018
【図１７】
2004054235.tif 000019
【図１８】
2004054235.tif 000020
【図１９】
2004054235.tif 000021